(57)【要約】【課題】利用者のアクセス権限のランクに対応した電子透かしが貼付されたイメージデータをクライアント端末に配信することはできるイメージデータ配信サーバを提供する。【解決手段】イメージデータ配信サーバ１１は、それに格納された各種複数の電子情報を個別にイメージ化した各種複数のイメージデータを作成するイメージデータ作成手段と、イメージデータの配信を各利用者が要求したときに、それら利用者に対する認証結果に基づいて各利用者のイメージデータへのアクセス権限を各ランク別に区分するランク別区分手段と、ランク別区分手段によって区分されたアクセス権限の各ランクに対応した電子透かしをイメージデータに剥離不能に貼付する表示形態変更手段と、電子透かしが貼付されたイメージデータを含む各種複数のイメージデータをクライアント端末１２Ａ〜１２Ｃに配信するイメージデータ配信手段とを有する。【選択図】図１
2014103522.tif 000002
【特許請求の範囲】
【請求項１】
複数の利用者の要求に応じて各種複数のイメージデータをインターネットを介してクライアントに配信するイメージデータ配信サーバにおいて、
前記イメージデータ配信サーバが、それに格納された各種複数の電子情報を個別にイメージ化した各種複数のイメージデータを作成するイメージデータ作成手段と、前記イメージデータの配信をクライアントを介して各利用者が要求したときに、それら利用者に対する認証結果に基づいて各利用者の前記イメージデータへのアクセス権限を各ランク別に区分するランク別区分手段と、前記ランク別区分手段によって区分されたアクセス権限の各ランクに従って前記イメージデータの表示形態を変更する表示形態変更手段と、前記表示形態変更手段によって表示形態が変更されたイメージデータを含む各種複数のイメージデータを前記クライアントに配信するイメージデータ配信手段とを有することを特徴とするイメージデータ配信サーバ。
【請求項２】
前記表示形態変更手段では、前記アクセス権限のランクが低位の利用者に配信する前記イメージデータの表示形態を該アクセス権限のランクが中位の利用者に配信する該イメージデータのそれよりも大きく変更し、前記アクセス権限のランクが中位の利用者に配信する前記イメージデータの表示形態を該アクセス権限のランクが上位の利用者に配信する該イメージデータのそれよりも大きく変更する請求項１に記載のイメージデータ配信サーバ。
【請求項３】
前記イメージデータ送信サーバが、前記アクセス権限の各ランクに対応した各種複数のユニークな電子透かしを作成する電子透かし作成手段を含み、前記表示形態変更手段では、前記ランク別区分手段によって区分したアクセス権限の各ランクに対応した前記電子透かしを前記イメージデータに剥離不能に貼り付けることで、前記イメージデータの表示形態を変更する請求項１または請求項２に記載のイメージデータ配信サーバ。
【請求項４】
前記表示形態変更手段では、表示形態の大きな変更が必要なイメージデータに対する前記電子透かしの表示割合を表示形態の中程度の変更が必要なイメージデータに対する該電子透かしのそれよりも大きくし、表示形態の中程度の変更が必要なイメージデータに対する前記電子透かしの表示割合を表示形態の小さな変更が必要なイメージデータに対する該電子透かしのそれよりも大きくする請求項３に記載のイメージデータ配信サーバ。
【請求項５】
前記表示形態変更手段では、表示形態の大きな変更が必要なイメージデータに対して貼り付ける前記電子透かしの装飾を表示形態の中程度の変更が必要なイメージデータに対して貼り付ける該電子透かしのそれよりも多くし、表示形態の中程度の変更が必要なイメージデータに対して貼り付ける前記電子透かしの装飾を表示形態の小さな変更が必要なイメージデータに対して貼り付ける該電子透かしのそれよりも多くする請求項３または請求項４に記載のイメージデータ配信サーバ。
【請求項６】
前記表示形態変更手段では、表示形態の大きな変更が必要なイメージデータに対して貼り付ける前記電子透かしの模様を表示形態の中程度の変更が必要なイメージデータに対して貼り付ける該電子透かしのそれよりも多くし、表示形態の中程度の変更が必要なイメージデータに対して貼り付ける前記電子透かしの模様を表示形態の小さな変更が必要なイメージデータに対して貼り付ける該電子透かしのそれよりも多くする請求項３ないし請求項５いずれかに記載のイメージデータ配信サーバ。
【請求項７】
前記表示形態変更手段では、表示形態の大きな変更が必要なイメージデータに対して貼り付ける前記電子透かしの称呼を表示形態の中程度の変更が必要なイメージデータに対して貼り付ける該電子透かしのそれらよりも多くし、表示形態の中程度の変更が必要なイメージデータに対して貼り付ける前記電子透かしの称呼を表示形態の小さな変更が必要なイメージデータに対して貼り付ける該電子透かしのそれらよりも多くする請求項３ないし請求項６いずれかに記載のイメージデータ配信サーバ。
【請求項８】
前記表示形態変更手段では、表示形態の大きな変更が必要なイメージデータに対して貼り付ける前記電子透かしの観念を表示形態の中程度の変更が必要なイメージデータに対して貼り付ける該電子透かしのそれよりも多くし、表示形態の中程度の変更が必要なイメージデータに対して貼り付ける前記電子透かしの観念を表示形態の小さな変更が必要なイメージデータに対して貼り付ける該電子透かしのそれよりも多くする請求項３ないし請求項７いずれかに記載のイメージデータ配信サーバ。
【請求項９】
前記電子透かしには、前記イメージデータの配信を要求した各利用者の特定情報が含まれる請求項３ないし請求項８いずれかに記載のイメージデータ配信サーバ。
【請求項１０】
前記イメージデータ配信サーバが、それら電子情報の内容に基づいて、前記電子透かしの貼付が必要なイメージデータと該電子透かしの貼付が不要なイメージデータとに区分するデータ第１区分手段を含み、前記表示形態変更手段では、前記データ第１区分手段によって区分された電子透かしの貼付が必要なイメージデータのみに電子透かしを貼付する請求項３ないし請求項９いずれかに記載のイメージデータ配信サーバ。
【請求項１１】
前記イメージデータ配信サーバが、それら電子情報のファイル形式に基づいて、前記電子透かしの貼付が必要なイメージデータと該電子透かしの貼付が不要なイメージデータとに区分するデータ第２区分手段を含み、前記表示形態変更手段では、前記データ第２区分手段によって区分された電子透かしの貼付が必要なイメージデータのみに電子透かしを貼付する請求項３ないし請求項１０いずれかに記載のイメージデータ配信サーバ。
【発明の詳細な説明】
【技術分野】
【０００１】
本発明は、クライアントの要求に応じて各種複数のイメージデータをインターネットを介してそれらクライアントに配信するイメージデータ配信サーバに関する。
【背景技術】
【０００２】
ネットワークに接続されたスキャナ機能を含むマルチファンクション電子機器または単体のスキャナ機器の電子機器と、それら電子機器によって原稿をスキャンして取得し、取得した原稿をデジタルイメージデータとして格納管理するリモートサーバと、ネットワークを介してリモートサーバに接続されるパーソナルコンピュータとから構成され、リモートサーバがそれに格納されたデジタルイメージデータをネットワークを介してパーソナルコンピュータに配信するイメージデータ配信システムが公開されている（特許文献１参照）。
【０００３】
イメージデータ配信システムは、ホームページ閲覧ブラウザにおいて確認したイメージデータの中から配信を希望するイメージデータがユーザーの保有するパーソナルコンピュータにネットワークを介してダウンロードされる。なお、不特定多数のユーザーに公開しているイメージデータに対し、閲覧可能なユーザーを限定する場合、イメージデータそれぞれに管理パスワードを設定し、限定したユーザーにそのパスワードを通知し、そのパスワードをもって限定したユーザーのみにイメージデータを公開する。イメージデータ配信システムは、あるグループ内だけで閲覧・ダウンロードを行いたい場合に、そのパスワードをグループに提示することで、そのデータを必要としているユーザーのみにイメージデータを利用させることができる。
【先行技術文献】
【特許文献】
【０００４】
【特許文献１】特開２００３−３２４２５号公報
【発明の概要】
【発明が解決しようとする課題】
【０００５】
それらユーザーにイメージデータに対する各ランク別のアクセス権限がある場合、それらイメージデータの他所への漏洩を防止する必要性から、それらユーザーのアクセス権限のランクによってはイメージデータの表示形態を変更することなくそのままイメージデータを配信してはいけない場合がある。前記特許文献１に開示のイメージデータ配信システムは、特定のパスワードを利用することで、閲覧権限のあるユーザーのみに各種複数のイメージデータを配信するが、各ユーザーのアクセス権限のランクに従った表示形態のイメージデータを各パーソナルコンピュータに配信することはできず、秘匿や保護の必要なイメージデータの他所への漏洩や漏出を抑制することができないとともに、複写不可や複製不可のイメージデータのその複写や複製を抑制することができない。
【０００６】
また、利用者のランクによっては全てのイメージデータを閲覧させる必要がなく、イメージデータのうちの閲覧不許可のそれの閲覧を防止する必要がある。しかし、特許文献１に開示のイメージデータ配信システムは、イメージデータの配信先をパスワードによって峻別してはいるものの、各利用者のアクセス権限のランクに従ってイメージデータに閲覧制限を加えることはなく、イメージデータのうちの閲覧不許可のそれの閲覧を止めることができない。
【０００７】
本発明の目的は、各利用者のアクセス権限のランクに対応した表示形態のイメージデータを各クライアントに配信することはでき、秘匿や保護の必要なイメージデータの他所への漏洩や漏出を抑制することができるとともに、複写不可や複製不可のイメージデータのその複写や複製を抑制することができるイメージデータ配信サーバを提供することにある。
【課題を解決するための手段】
【０００８】
前記課題を解決するための本発明の前提は、複数の利用者の要求に応じて各種複数のイメージデータをインターネットを介してクライアントに配信するイメージデータ配信サーバである。
【０００９】
前記前提における本発明の特徴は、イメージデータ配信サーバが、それに格納された各種複数の電子情報を個別にイメージ化した各種複数のイメージデータを作成するイメージデータ作成手段と、イメージデータの配信をクライアントを介して各利用者が要求したときに、それら利用者に対する認証結果に基づいて各利用者のイメージデータへのアクセス権限を各ランク別に区分するランク別区分手段と、ランク別区分手段によって区分されたアクセス権限の各ランクに従ってイメージデータの表示形態を変更する表示形態変更手段と、表示形態変更手段によって表示形態が変更されたイメージデータを含む各種複数のイメージデータをクライアントに配信するイメージデータ配信手段とを有することにある。
【００１０】
本発明の一例として、表示形態変更手段では、アクセス権限のランクが低位の利用者に配信するイメージデータの表示形態をアクセス権限のランクが中位の利用者に配信するイメージデータのそれよりも大きく変更し、アクセス権限のランクが中位の利用者に配信するイメージデータの表示形態をアクセス権限のランクが上位の利用者に配信するイメージデータのそれよりも大きく変更する。
【００１１】
本発明の他の一例としては、イメージデータ送信サーバがアクセス権限の各ランクに対応した各種複数のユニークな電子透かしを作成する電子透かし作成手段を含み、表示形態変更手段では、ランク別区分手段によって区分したアクセス権限の各ランクに対応した電子透かしをイメージデータに剥離不能に貼り付けることで、イメージデータの表示形態を変更する。
【００１２】
本発明の他の一例として、表示形態変更手段では、表示形態の大きな変更が必要なイメージデータに対する電子透かしの表示割合を表示形態の中程度の変更が必要なイメージデータに対する電子透かしのそれよりも大きくし、表示形態の中程度の変更が必要なイメージデータに対する電子透かしの表示割合を表示形態の小さな変更が必要なイメージデータに対する電子透かしのそれよりも大きくする。
【００１３】
本発明の他の一例として、表示形態変更手段では、表示形態の大きな変更が必要なイメージデータに対して貼り付ける電子透かしの装飾を表示形態の中程度の変更が必要なイメージデータに対して貼り付ける電子透かしのそれよりも多くし、表示形態の中程度の変更が必要なイメージデータに対して貼り付ける電子透かしの装飾を表示形態の小さな変更が必要なイメージデータに対して貼り付ける電子透かしのそれよりも多くする。
【００１４】
本発明の他の一例として、表示形態変更手段では、表示形態の大きな変更が必要なイメージデータに対して貼り付ける電子透かしの模様を表示形態の中程度の変更が必要なイメージデータに対して貼り付ける電子透かしのそれよりも多くし、表示形態の中程度の変更が必要なイメージデータに対して貼り付ける電子透かしの模様を表示形態の小さな変更が必要なイメージデータに対して貼り付ける電子透かしのそれよりも多くする。
【００１５】
本発明の他の一例として、表示形態変更手段では、表示形態の大きな変更が必要なイメージデータに対して貼り付ける電子透かしの称呼を表示形態の中程度の変更が必要なイメージデータに対して貼り付ける電子透かしのそれらよりも多くし、表示形態の中程度の変更が必要なイメージデータに対して貼り付ける電子透かしの称呼を表示形態の小さな変更が必要なイメージデータに対して貼り付ける電子透かしのそれらよりも多くする。
【００１６】
本発明の他の一例として、表示形態変更手段では、表示形態の大きな変更が必要なイメージデータに対して貼り付ける電子透かしの観念を表示形態の中程度の変更が必要なイメージデータに対して貼り付ける電子透かしのそれよりも多くし、表示形態の中程度の変更が必要なイメージデータに対して貼り付ける電子透かしの観念を表示形態の小さな変更が必要なイメージデータに対して貼り付ける電子透かしのそれよりも多くする。
【００１７】
本発明の他の一例として、電子透かしには、イメージデータの配信を要求した各利用者の特定情報が含まれる。
【００１８】
本発明の他の一例としては、イメージデータ配信サーバが、それら電子情報の内容に基づいて、電子透かしの貼付が必要なイメージデータと電子透かしの貼付が不要なイメージデータとに区分するデータ第１区分手段を含み、表示形態変更手段では、データ第１区分手段によって区分された電子透かしの貼付が必要なイメージデータのみに電子透かしを貼付する。
【００１９】
本発明の他の一例としては、イメージデータ配信サーバが、それら電子情報のファイル形式に基づいて、電子透かしの貼付が必要なイメージデータと電子透かしの貼付が不要なイメージデータとに区分するデータ第２区分手段を含み、表示形態変更手段では、データ第２区分手段によって区分された電子透かしの貼付が必要なイメージデータのみに電子透かしを貼付する。
【発明の効果】
【００２０】
本発明にかかるにかかるイメージデータ配信サーバによれば、利用者に対する認証結果に基づいて各利用者のイメージデータへのアクセス権限を各ランク別に区分し、利用者毎のアクセス権限の各ランクに従ってイメージデータの表示形態を変更するとともに、表示形態が変更されたイメージデータを含む各種複数のイメージデータをクライアントに配信するから、たとえば、秘匿や保護の必要なイメージデータに対してそれを表示し、それを表示した表示形態のイメージデータをクライアントに配信することで、そのイメージデータの他所への漏洩や漏出を抑制することができる。また、イメージデータ配信サーバは、たとえば、複写不可や複製不可のイメージデータに対してそれを表示し、それを表示した表示形態のイメージデータをクライアントに配信することで、そのイメージデータの複写や複製を抑制することができる。
【００２１】
アクセス権限のランクが低位の利用者に配信するイメージデータの表示形態をアクセス権限のランクが中位の利用者に配信するイメージデータのそれよりも大きく変更し、アクセス権限のランクが中位の利用者に配信するイメージデータの表示形態をアクセス権限のランクが上位の利用者に配信するイメージデータのそれよりも大きく変更するイメージデータ配信サーバは、アクセス権限が低位の利用者に表示形態が大きく変更されたイメージデータを配信することで、その利用者からのイメージデータの他所への漏洩や漏出を抑制することができるとともに、その利用者におけるイメージデータの複写や複製を抑制することができる。
【００２２】
アクセス権限の各ランクに対応した各種複数のユニークな電子透かしを作成し、ランク別区分手段によって区分したアクセス権限の各ランクに対応した電子透かしをイメージデータに剥離不能に貼り付けることで、イメージデータの表示形態を変更するイメージデータ配信サーバは、イメージデータ配信サーバにおいて電子透かしをイメージデータに剥離不能に貼り付け、表示形態を変更したイメージデータをサーバからクライアントに配信するから、クライアントにおいて出力されるイメージデータに剥離不能な電子透かしが表示され、その電子透かしによってイメージデータ漏洩や漏出、複写、複製も抑制することができる。
【００２３】
表示形態の大きな変更が必要なイメージデータに対する電子透かしの表示割合を表示形態の中程度の変更が必要なイメージデータに対する電子透かしのそれよりも大きくし、表示形態の中程度の変更が必要なイメージデータに対する電子透かしの表示割合を表示形態の小さな変更が必要なイメージデータに対する電子透かしのそれよりも大きくするイメージデータ配信サーバは、表示形態の大きな変更が必要なイメージデータに対する電子透かしの表示割合を表示形態の中程度の変更が必要なイメージデータに対する電子透かしのそれよりも大きくすることで、イメージデータの秘匿や保護の必要性を強調することができ、そのイメージデータの漏洩や漏出、複写、複製を抑制することができる。また、表示形態の中程度の変更が必要なイメージデータに対する電子透かしの表示割合を表示形態の小さな変更が必要なイメージデータに対する電子透かしのそれよりも大きくすることで、イメージデータの秘匿や保護の必要性を主張することができ、そのイメージデータの漏洩や漏出、複写、複製を抑制することができる。さらに、表示形態の小さな変更が必要なイメージデータに対しても所定の表示割合の電子透かしを貼り付けることで、そのイメージデータの漏洩や漏出、複写、複製も抑制することができる。
【００２４】
表示形態の大きな変更が必要なイメージデータに対して貼り付ける電子透かしの装飾を表示形態の中程度の変更が必要なイメージデータに対して貼り付ける電子透かしのそれよりも多くし、表示形態の中程度の変更が必要なイメージデータに対して貼り付ける電子透かしの装飾を表示形態の小さな変更が必要なイメージデータに対して貼り付ける電子透かしのそれよりも多くするイメージデータ配信サーバは、表示形態の大きな変更が必要なイメージデータに対する電子透かしの装飾を表示形態の中程度の変更が必要なイメージデータに対する電子透かしのそれよりも多くすることで、イメージデータの秘匿や保護の必要性を強調することができ、そのイメージデータの漏洩や漏出、複写、複製を抑制することができる。また、表示形態の中程度の変更が必要なイメージデータに対する電子透かしの装飾を表示形態の小さな変更が必要なイメージデータに対する電子透かしのそれよりも多くすることで、イメージデータの秘匿や保護の必要性を主張することができ、そのイメージデータの漏洩や漏出、複写、複製を抑制することができる。さらに、表示形態の小さな変更が必要なイメージデータに対しても所定の装飾の電子透かしを貼り付けることで、そのイメージデータの漏洩や漏出、複写、複製も抑制することができる。
【００２５】
表示形態の大きな変更が必要なイメージデータに対して貼り付ける電子透かしの模様を表示形態の中程度の変更が必要なイメージデータに対して貼り付ける電子透かしのそれよりも多くし、表示形態の中程度の変更が必要なイメージデータに対して貼り付ける電子透かしの模様を表示形態の小さな変更が必要なイメージデータに対して貼り付ける電子透かしのそれよりも多くするイメージデータ配信サーバは、表示形態の大きな変更が必要なイメージデータに対する電子透かしの模様を表示形態の中程度の変更が必要なイメージデータに対する電子透かしのそれよりも多くすることで、イメージデータの秘匿や保護の必要性を強調することができ、そのイメージデータの漏洩や漏出、複写、複製を抑制することができる。また、表示形態の中程度の変更が必要なイメージデータに対する電子透かしの模様を表示形態の小さな変更が必要なイメージデータに対する電子透かしのそれよりも多くすることで、イメージデータの秘匿や保護の必要性を主張することができ、そのイメージデータの漏洩や漏出、複写、複製を抑制することができる。さらに、表示形態の小さな変更が必要なイメージデータに対しても所定の模様の電子透かしを貼り付けることで、そのイメージデータの漏洩や漏出、複写、複製も抑制することができる。
【００２６】
表示形態の大きな変更が必要なイメージデータに対して貼り付ける電子透かしの称呼を表示形態の中程度の変更が必要なイメージデータに対して貼り付ける該電子透かしのそれよりも多くし、表示形態の中程度の変更が必要なイメージデータに対して貼り付ける電子透かしの称呼を表示形態の小さな変更が必要なイメージデータに対して貼り付ける該電子透かしのそれよりも多くするイメージデータ配信サーバは、表示形態の大きな変更が必要なイメージデータに対して多数の称呼が表示された電子透かしを貼り付けることで、イメージデータの秘匿や保護の必要性を強調することができ、そのイメージデータの漏洩や漏出、複写、複製を抑制することができる。また、表示形態の中程度の変更が必要なイメージデータに対して相当数の称呼が表示された電子透かしを貼り付けることで、イメージデータの秘匿や保護の必要性を主張することができ、そのイメージデータの漏洩や漏出、複写、複製を抑制することができる。さらに、表示形態の小さな変更が必要なイメージデータに対しても所定数の称呼が表示された電子透かしを貼り付けることで、そのイメージデータの漏洩や漏出、複写、複製も抑制することができる。
【００２７】
表示形態の大きな変更が必要なイメージデータに対して貼り付ける電子透かしの観念を表示形態の中程度の変更が必要なイメージデータに対して貼り付ける該電子透かしのそれよりも多くし、表示形態の中程度の変更が必要なイメージデータに対して貼り付ける電子透かしの観念を表示形態の小さな変更が必要なイメージデータに対して貼り付ける該電子透かしのそれよりも多くするイメージデータ配信サーバは、表示形態の大きな変更が必要なイメージデータに対して多数の観念が表示された電子透かしを貼り付けることで、イメージデータの秘匿や保護の必要性を強調することができ、そのイメージデータの漏洩や漏出、複写、複製を抑制することができる。また、表示形態の中程度の変更が必要なイメージデータに対して相当数の観念が表示された電子透かしを貼り付けることで、イメージデータの秘匿や保護の必要性を主張することができ、そのイメージデータの漏洩や漏出、複写、複製を抑制することができる。さらに、表示形態の小さな変更が必要なイメージデータに対しても所定数観念が表示された電子透かしを貼り付けることで、そのイメージデータの漏洩や漏出、複写、複製も抑制することができる。
【００２８】
イメージデータの配信を要求した各利用者の特定情報が電子透かしに含まれるイメージデータ配信サーバは、電子透かしにイメージデータの配信を要求した各利用者の特定情報を含めることで、そのイメージデータを要求した利用者やそのイメージデータが配信されたクライアントが分かるから、たとえば、イメージデータが他所に漏洩や漏出したとしても、その漏洩先や漏出先が把握され、そのイメージデータの漏洩や漏出に対する抑止力として機能することで、イメージデータの漏洩や漏出を抑制することができる。また、イメージデータが複写や複製されたとしても、その複写先や複製先が把握され、そのイメージデータの複写や複製に対する抑止力として機能し、イメージデータの複写や複製を抑制することができる。
【００２９】
それら電子情報の内容に基づいて、電子透かしの貼付が必要なイメージデータと電子透かしの貼付が不要なイメージデータとに区分し、電子透かしの貼付が必要なイメージデータのみに電子透かしを貼付するイメージデータ配信サーバは、たとえば、内容に高い秘密保持性や学術的価値があるイメージデータに対してサーバ側においてコンフィデンシャル等の電子透かしを剥離不能に貼付し、電子透かしを貼付した表示形態のイメージデータをサーバからクライアントに配信することで、秘密保持性や学術的価値がある電子情報をイメージ化したイメージデータの他所への漏洩や漏出を抑制することができる。また、秘密性や学術的価値がある電子情報をイメージ化したイメージデータに対してサーバ側で複写不可や複製不可等の電子透かしを剥離不能に貼付し、電子透かしを貼付した表示形態のイメージデータをサーバからクライアントに配信することで、そのイメージデータの複写や複製を抑制することができる。
【００３０】
それら電子情報のファイル形式に基づいて、電子透かしの貼付が必要なイメージデータと電子透かしの貼付が不要なイメージデータとに区分し、電子透かしの貼付が必要なイメージデータのみの電子透かしを貼付するイメージデータ配信サーバは、たとえば、秘匿や保護の必要なファイル形式の電子情報をイメージ化したイメージデータに対してサーバ側においてコンフィデンシャル等の電子透かしを剥離不能に貼付し、電子透かしを貼付した表示形態のイメージデータをサーバからクライアントに配信することで、そのイメージデータの他所への漏洩や漏出を抑制することができる。また、イメージデータ配信サーバは、たとえば、複写不可や複製不可の必要なファイル形式の電子情報をイメージ化したイメージデータに対してサーバ側で複写不可や複製不可等の電子透かしを剥離不能に貼付し、電子透かしを貼付した表示形態のイメージデータをサーバからクライアントに配信することで、そのイメージデータの複写や複製を抑制することができる。
【図面の簡単な説明】
【００３１】
【図１】一例として示すイメージデータ配信システムの構成概念図。
【図２】電子情報のイメージ化を説明するフローチャート。
【図３】イメージデータの配信手順の一例を示すフローチャート。
【図４】電子透かしの一例を示す図。
【図５】電子透かしの他の一例を示す図。
【図６】電子透かしの他の一例を示す図。
【図７】電子透かしを貼付したイメージデータの一例を示す図。
【図８】電子透かしを貼付したイメージデータの他の一例を示す図。
【図９】電子透かしを貼付したイメージデータの他の一例を示す図。
【発明を実施するための形態】
【００３２】
一例として示すイメージデータ配信システム１０の構成概念図である図１等の添付の図面を参照し、本発明に係るイメージデータ配信サーバ１１の詳細を説明すると、以下のとおりである。なお、図１では、３台のクライアント端末１２Ａ〜１２Ｃを図示しているが、実際にはインターネット１３を介してイメージデータ配信サーバ１１へアクセス可能な無数のクライアント端末が存在する。
【００３３】
イメージデータ配信システム１０は、各種複数のイメージデータを格納したイメージデータ配信サーバ１１と、イメージデータ配信サーバ１１に対してイメージデータの配信を要求する複数のクライアント端末１２Ａ〜１２Ｃ（クライアント）とから形成されている。イメージデータ配信サーバ１１は、イメージデータを有償または無償で提供するイメージデータ提供事業者が契約するデータセンターに設置または仮想されている。なお、サーバ１１がイメージデータを提供するイメージデータ提供事業者に設置される場合もある。クライアント端末１２Ａ〜１２Ｃは、イメージデータを利用する利用者（閲覧者）が保有管理している。
【００３４】
イメージデータ配信サーバ１１は、中央処理部（ＣＰＵまたはＭＰＵ）とメモリ（メインメモリおよびキャッシュメモリ）とを備えた物理的なコンピュータまたは仮想されたバーチャルコンピュータであり、物理的な大容量ハードディスクまたは仮想された大容量ハードディスクを内蔵している。なお、図示はしていないが、イメージデータ配信サーバ１１には、キーボードやマウス等の入力装置、ディスプレイやプリンタ等の出力装置がインターフェイスを介して接続されている。
【００３５】
イメージデータ配信サーバ１１には、図示はしていないが、ホスト名とそのホスト名に割り当てるＩＰアドレスとの対応付けを設定するＤＮＳサーバ、他のコンピュータや他のサーバからの要求を受け付けて各種情報を読み書きする機能を提供するデータベース・ファイルサーバ、ホームページを公開するために必要なＷｅｂサーバ、電子メールの送受信用のメールサーバ、作成された文章や画像等のデータをすべて保存してそれらのデータを検索可能にするドキュメントサーバ等の各種サーバが接続され、それらサーバがサーバ群を形成している。なお、サーバ１１は、それ自体がＤＮＳサーバ機能、データベースサーバ機能、Ｗｅｂサーバ機能、メールサーバ機能、ドキュメントサーバ機能を有し、各サーバ機能別にソフトウェア的に区分されている場合がある。サーバ１１は、インターネット１３に接続された各種複数のＤＮＳサーバ等を経由しつつ、インターネット１３を利用して他のあらゆるサーバにアクセスすることができる。
【００３６】
イメージデータ配信サーバ１１のハードディスクには、サーバ１１からイメージデータの配信を希望するユーザー登録済の利用者（クライアント端末１２Ａ〜１２Ｃ）の認証情報が格納されている。パスワード認証を行う場合の認証情報は、各利用者のログインＩＤおよびパスワードであり、証明書認証を行う場合の認証情報は、各利用者のログインＩＤおよび証明書情報である。ＵＳＢやＩＤカードによる認証の場合の認証情報は、各利用者のログインＩＤおよびパスワード、ＩＤ番号であり、バイオメトリクス認証を行う場合の認証情報は、各利用者のログインＩＤおよび各利用者の生体情報である。
【００３７】
イメージデータ配信サーバ１１のハードディスクには、サーバ１１にユーザー登録した各利用者の特定情報（個人情報およびクライアント端末特定情報）が格納されている。各利用者の特定情報には、クライアント端末１２Ａ〜１２ＣのＩＰアドレスやクライアント端末１２Ａ〜１２ＣのＭＡＣアドレス、クライアント端末１２Ａ〜１２Ｃ（サーバ）のＵＲＬ、クライアント端末１２Ａ〜１２ＣのＣｏｏｋｉｅ情報（ユーザー登録情報）、クライアント端末１２Ａ〜１２Ｃの固体識別番号等のクライアント端末特定情報があり、利用者のメールアドレス、利用者の氏名または名称（法人名や個人名）、利用者の住所または居所、利用者の電話番号、利用者のＦＡＸ番号、利用者の年齢、利用者の性別、利用者の名刺情報（社名、業種、職種、所属部課、資格、役職等）、利用者の容姿を撮影したデジタル写真等の個人情報がある。
【００３８】
それらクライアント端末１２Ａ〜１２Ｃは、中央処理部（ＣＰＵまたはＭＰＵ）とメモリ（メインメモリおよびキャッシュメモリ）と有して独立したオペレーティングシステム（ＯＳ）によって動作する物理的なコンピュータであり、大容量ハードディスクを実装している。クライアント端末１２Ａ〜１２Ｃには、キーボードやマウス等の入力装置、ディスプレイやプリンタ等の出力装置がインターフェイスを介して接続されている。クライアント端末１２Ａ〜１２Ｃには、ＤＮＳサーバ、データベース・ファイルサーバ、Ｗｅｂサーバが接続されている。それらクライアント端末１２Ａ〜１２Ｃのハードディスクには、それら端末１２Ａ〜１２Ｃを特定するクライアント端末特定情報が格納されている。クライアント端末特定情報としては、クライアント端末１２Ａ〜１２ＣのＩＰアドレスやＭＡＣアドレス、ＵＲＬ、メールアドレス、Ｃｏｏｋｉｅ情報、固体識別番号がある。
【００３９】
それらクライアント端末１２Ａ〜１２Ｃのメモリには、ウェブブラウザが格納されているとともに、各所に設置された物理的な外部サーバ（コンピュータ）や仮想サーバ（コンピュータ）のＵＲＬが格納されている。それらクライアント端末１２Ａ〜１２Ｃは、ウェブブラウザを利用するとともにそれに接続されたサーバを利用してインターネット１３に接続可能であり、インターネット１３を介して不特定多数の他のサーバ（物理サーバや仮想サーバ）にアクセスかつログインすることができるとともに、インターネット１３において各種検索エンジンを利用することができる。
【００４０】
イメージデータ配信サーバ１１とクライアント端末１２Ａ〜１２Ｃとは、インターネット１３を介して互いに接続可能であり、インターネット１３を利用することで、サーバ１１からクライアント端末１２Ａ〜１２Ｃにアクセスすることができ、端末１２Ａ〜１２Ｃからサーバ１１にアクセスすることができる。クライアント端末１２Ａ〜１２Ｃからサーバ１１への各種イメージデータの配信要求やサーバ１１から端末１２Ａ〜１２Ｃへの各種イメージデータの配信は、インターネット１３を介して行われる。
【００４１】
利用者が初めてイメージデータ配信サーバ１１へログインするには、クライアント端末１２Ａ〜１２Ｃをインターネット１３に接続し、検索エンジンを利用してサーバ１１のホームページをディスプレイに表示させ（他のサーバからリンクを介してホームページを表示する場合やサーバ１１のＵＲＬを使用してホームページを表示する場合を含む）、サーバ１１のホームページからユーザー登録を行う。利用者は、クライアント端末１２Ａ〜１２Ｃのディスプレイに表示されたサーバ１１のホームページのユーザー設定登録画面においてユーザー登録手続を行う。
【００４２】
ユーザー登録の一例としては、サーバ１１のホームページからユーザー登録アイコンをクリックし、ユーザー設定登録画面を表示させた後、そのユーザー設定登録画面の利用者名入力エリアに利用者の氏名または名称（法人名や個人名）を入力し、利用者住所入力エリアに利用者の住所または居所を入力し、利用者電話番号入力エリアに利用者の電話番号を入力するとともに、利用者ＦＡＸ番号入力エリアに利用者のＦＡＸ番号を入力し、年齢入力エリアに利用者の年齢を入力する。さらに、性別入力エリアに利用者の性別を入力し、認証情報入力エリアに各認証情報を入力するとともに、メールアドレス入力エリアに利用者のメールアドレスを入力し、名刺情報入力エリアに利用者の名刺情報（業種、職種、所属部課、資格、役職）を入力する。
【００４３】
それらデータを入力した後、登録設定ボタンをクリックすると、それらデータの確認画面が端末１２Ａ〜１２Ｃのディスプレイに表示される。入力したデータを確認し、データに誤りがなければ、確定ボタンをクリックする。確定ボタンをクリックすると、各入力エリアに入力された利用者の認証情報や特定情報（個人情報およびクライアント端末特定情報）がインターネット１３を介してイメージデータ配信サーバ１１へ送信され、それら情報がサーバ１１のハードディスクに格納される。それら情報を格納した後、サーバ１１は、各利用者に対応するログインＩＤを生成し、そのログインＩＤとＩＭＳ（Image  Date  Management  System）アプリケーションとをクライアント端末１２Ａ〜１２Ｃ（サーバ）に送信し、クライアント端末１２Ａ〜１２ＣにＩＭＳアプリケーションをインストールする。それによってサーバ１１に対するユーザー登録が完了する。なお、ユーザー登録をした利用者がクライアント端末１２Ａ〜１２Ｃを介してサーバ１１に所定のイメージデータの提供（ダウンロード）を要求するには、サーバ１１と端末１２Ａ〜１２Ｃとの間で認証手続を行う必要がある。認証結果が可である場合、サーバ１１からクライアント端末１２Ａ〜１２Ｃに要求されたイメージデータがダウンロードされる。
【００４４】
イメージデータ配信サーバ１１のキャッシュメモリの内部アドレスファイルには、ＩＭＳアプリケーションが格納されている。サーバ１１の中央処理部は、独立したオペレーティングシステム（ＯＳ）による制御に基づいて、メモリの内部アドレスファイルに格納されたＩＭＳアプリケーションを起動し、起動したアプリケーションに従って、以下の各手段を実行する。
【００４５】
イメージデータ配信サーバ１１の中央処理部は、利用者のクライアント端末１２Ａ〜１２Ｃ（サーバ）や他の送信者のクライアント端末１４Ａ，１４Ｂ（サーバ）から送信された各種複数の電子情報、ファイル形式を受信し、その電子情報やファイル形式（電子透かし貼付の要否を含む）を利用者または送信者の特定情報に関連付けた状態でハードディスクに格納する電子情報格納手段を実行する。サーバ１１の中央処理部は、ハードディスクに格納されたそれら電子情報（各種のファイル形式の電子データ）をＩＭＳアプリケーションによって個別にイメージ化した各種複数のイメージデータを作成するイメージデータ作成手段を実行する。イメージデータ作成手段では、電子情報のイメージ化とともに、イメージデータにファイル形式名および所定の名称が付与される。
【００４６】
イメージデータ配信サーバ１１の中央処理部は、作成した各種複数のイメージデータに対応させたユニークＵＲＬを生成するＵＲＬ生成手段を実行し、作成したそれらイメージデータをハードディスクまたはデータベースサーバ（ソフトウェア的に区分された場合を含む）に格納するイメージデータ格納手段を実行する。イメージデータ格納手段では、生成したイメージデータ、後記する電子透かしの貼付の要否（表示形態変更の有無）、ファイル形式名、イメージデータの名称を生成したＵＲＬに関連付けた状態でハードディスクやデータベースサーバに格納する。
【００４７】
イメージデータ配信サーバ１１の中央処理部は、イメージデータの配信をクライアント端末１２Ａ〜１２Ｃを介して各利用者が要求したときに、それら利用者に対する認証結果に基づいて各利用者のイメージデータへのアクセス権限を各ランク別に区分するランク別区分手段を実行する。ランク別区分手段では、クライアント端末１２Ａ〜１２Ｃ（アクセスポイント）において認証手続を行うと、イメージデータ配信サーバ１１が端末１２Ａ〜１２Ｃに対して各種の証拠（属性）の提供を要求し、サーバ１１の要求にしたがって端末１２Ａ〜１２Ｃがサーバ１１に各種の証拠（属性）を提供する。イメージデータ配信サーバ１１は、クライアント端末１２Ａ〜１２Ｃから提供されたそれら証拠に基づいてその端末１２Ａ〜１２Ｃのセキュリティーポリシーを評価し、それによって利用者のアクセス権限のランク（アクセス許可レベル）を決定する。ランク別区分手段では、利用者のアクセス権限のランク（アクセス許可レベル）をたとえば閲覧制限ユーザーランク、一般ユーザーランク、特別ユーザーランク、管理ユーザーランク等に区分する。
【００４８】
イメージデータ配信サーバ１１の中央処理部は、ランク別区分手段によって区分されたアクセス権限の各ランクに対応した各種複数のユニークな所定の形態の電子透かしを作成する電子透かし作成手段を実行し、作成した電子透かしをハードディスクまたはデータベースサーバ（ソフトウェア的に区分された場合を含む）に格納する電子透かし格納手段を実行する。サーバ１１の中央処理部は、アクセス権限の各ランクに従ってイメージデータに電子透かしを剥離不能に貼付する（イメージデータの表示形態を変更する）表示形態変更手段を実行し、電子透かしを貼付したイメージデータをハードディスクまたはデータベースサーバ（ソフトウェア的に区分された場合を含む）に格納する電子透かしイメージデータ格納手段を実行する。
【００４９】
電子透かしイメージデータ格納手段では、電子透かしを貼付したイメージデータ、ファイル形式名、イメージデータの名称をＵＲＬに関連付けた状態でハードディスクやデータベースサーバに格納する。表示形態変更手段では、ランク別区分手段によって区分したアクセス権限の各ランクに対応した電子透かしをイメージデータに剥離不能に貼り付けることで、イメージデータの表示形態が変更される。電子透かしには、イメージデータの配信を要求した各利用者の特定情報（個人情報やクライアント端末特定情報）が含まれる。電子透かし作成手段では、ランク別区分手段によってランク別に区分されたユーザーランクによって作成する電子透かしの形態（イメージデータの表示形態の変更の大中小）を決定する。
【００５０】
イメージデータ配信サーバ１１の中央処理部は、それら電子情報の内容に基づいて、電子透かしの貼付が必要なイメージデータと電子透かしの貼付が不要なイメージデータとに区分するデータ第１区分手段を実行する。イメージ化する電子情報の内容による電子透かしの貼付の要否（表示形態の変更の有無）は、イメージデータ提供事業者において決定される。たとえば、セキュリティーポリシーが高い内容の電子情報のイメージデータに対して電子透かしの貼付を必要とし、セキュリティーポリシーが低い一般的な内容の電子情報のイメージデータに対して電子透かしの貼付を不要とする。また。高度に学術的な内容の電子情報のイメージデータに対して電子透かしの貼付を必要とし、通常の雑誌や週刊誌的な内容の電子情報のイメージデータに対して電子透かしの貼付を不要とする。サーバ１１の中央処理部は、電子情報のキーワードをピックアップし、そのキーワードを利用してセキュリティーポリシーの高低や実質的な内容を特定し、電子透かしの貼付の要否を決定するが、最終的には、イメージデータ提供事業者が判断する。
【００５１】
イメージデータ配信サーバ１１の中央処理部は、それら電子情報のファイル形式に基づいて、電子透かしの貼付が必要なイメージデータと電子透かしの貼付が不要なイメージデータとに区分するデータ第２区分手段を実行する。イメージ化する電子情報のファイル形式による電子透かしの貼付の要否（表示形態の変更の有無）は、イメージデータ提供事業者において決定される。たとえば、ｉｐｇファイル、ｐｎｇファイル、ｃｇｉファイル、ａｓｐファイル、ａｖｉファイル、ｍｐｇファイル、ｒｍファイル、ｗｍｖファイル、ａｉｆファイル、ｍｐ３ファイルのファイル形式の電子情報のイメージデータに対して電子透かしの貼付を必要とし、ｐｄｆファイル、ｂｍｐファイル、ｗｍａファイルのファイル形式の電子情報のイメージデータに対して電子透かしの貼付を不要とする。
【００５２】
なお、イメージデータ配信サーバ１１は、データ第１区分手段やデータ第２区分手段のうちの１つの区分手段で電子透かしの貼付有（イメージデータの変更有）と決定した場合、他の区分手段で電子透かしの貼付無（イメージデータの変更無）と決定したとしても、そのイメージデータに対しては貼付有と判断し、貼付有と判断したイメージデータに電子透かしを貼付（イメージデータの表示形態を変更）する。
【００５３】
表示形態変更手段では、表示形態の大きな変更が必要なイメージデータ（変更（大）のイメージデータ）の表示形態を表示形態の中程度の変更が必要なイメージデータ（変更（中）のイメージデータ）のそれよりも大きく変更する。その具体例としては、（１）表示形態の大きな変更が必要なイメージデータに対する電子透かしの表示割合を表示形態の中程度の変更が必要なイメージデータに対する電子透かしのそれよりも大きくする。（２）表示形態の大きな変更が必要なイメージデータに対して貼り付ける電子透かしの装飾を表示形態の中程度の変更が必要なイメージデータに対して貼り付ける電子透かしのそれよりも多くする。（３）表示形態の大きな変更が必要なイメージデータに対して貼り付ける電子透かしの模様を表示形態の中程度の変更が必要なイメージデータに対して貼り付ける電子透かしのそれよりも多くする。（４）表示形態の大きな変更が必要なイメージデータに対して貼り付ける電子透かしの称呼の数を表示形態の中程度の変更が必要なイメージデータに対して貼り付ける電子透かしのそれらよりも多くする。（５）表示形態の大きな変更が必要なイメージデータに対して貼り付ける電子透かしの観念の数を表示形態の中程度の変更が必要なイメージデータに対して貼り付ける電子透かしのそれらよりも多くする。表示形態変更手段では、それら（１）〜（５）のうちの少なくとも１つを採用する。
【００５４】
表示形態変更手段では、表示形態の中程度の変更が必要なイメージデータに対する電子透かしの表示割合を表示形態の小さな変更が必要なイメージデータ（変更（小）のイメージデータ）に対する電子透かしのそれよりも大きくする。その具体例としては、（６）表示形態の中程度の変更が必要なイメージデータに対する電子透かしの表示割合を表示形態の小さな変更が必要なイメージデータに対する電子透かしのそれよりも大きくする。（７）表示形態の中程度の変更が必要なイメージデータに対して貼り付ける電子透かしの装飾を表示形態の小さな変更が必要なイメージデータに対して貼り付ける電子透かしのそれよりも多くする。（８）表示形態の中程度の変更が必要なイメージデータに対して貼り付ける電子透かしの模様を表示形態の小さな変更が必要なイメージデータに対して貼り付ける電子透かしのそれよりも多くする。（９）表示形態の中程度の変更が必要なイメージデータに対して貼り付ける電子透かしの称呼の数を表示形態の小さな変更が必要なイメージデータに対して貼り付ける電子透かしのそれらよりも多くする。（１０）表示形態の中程度の変更が必要なイメージデータに対して貼り付ける電子透かしの観念の数を表示形態の小さな変更が必要なイメージデータに対して貼り付ける電子透かしのそれらよりも多くする。表示形態変更手段では、それら（６）〜（１０）のうちの少なくとも１つを採用する。
【００５５】
イメージデータ配信サーバ１１の中央処理部は、クライアント端末１２Ａ〜１２Ｃ（利用者）からイメージデータの送信要求があった場合、サーバ１１と端末１２Ａ〜１２Ｃとの間で認証手続きを行う端末認証手段を実行する。サーバ１１の中央処理部は、サーバ１１とクライアント端末１２Ａ〜１２Ｃとの間で認証手続きを行った後、表示形態変更手段によって各種複数の電子透かしを貼付（表示形態を変更）したイメージデータや電子透かしを貼付（表示形態を変更しない）してないイメージデータをインターネット１３を介して端末１２Ａ〜１２Ｃ（サーバ）に配信するイメージデータ配信手段を実行する。
【００５６】
図２は、電子情報のイメージ化を説明するフローチャートである。図２のフローチャートに基づいて、電子情報のイメージ化の手順を説明すると、以下のとおりである。なお、複数の利用者のユーザー登録が完了し、利用者のクライアント端末１２Ａ〜１２ＣにＩＭＳアプリケーションがインストールされているものとする。電子情報を送信する場合、ユーザー登録済の特定多数の利用者またはユーザー登録をしていない不特定多数の送信者は、ウェブブラウザを利用してクライアント端末１２Ａ〜１２Ｃやクライアント端末１４Ａ，１４Ｂをインターネット１３に接続する。
【００５７】
クライアント端末１２Ａ〜１２Ｃ，１４Ａ，１４Ｂがインターネット１３に接続した後、イメージデータ配信サーバ１１のＵＲＬや検索エンジン、リンクを利用してサーバ１１のＷｅｂページにログインする（Ｓ−１０）。クライアント端末１２Ａ〜１２Ｃ，１４Ａ，１４Ｂがサーバ１１にログインすると、端末１２Ａ〜１２Ｃ，１４Ａ，１４Ｂのディスプレイにサーバ１１のホームページのメイン画面（図示せず）が表示される。クライアント端末１２Ａ〜１２Ｃ，１４Ａ，１４Ｂのディスプレイに表示されたサーバ１１のホームページのメイン画面には、ホームページの各種複数のコンテンツ、電子情報の送信ボタン、イメージデータの配信要求ボタン、閉じるボタン、その他のアイコン、他のホームページへジャンプする各種複数のリンクが表示される。
【００５８】
利用者や送信者は、電子情報の送信ボタンをクリックすることで、インターネット１３を介してクライアント端末１２Ａ〜１２Ｃ，１４Ａ，１４Ｂ（サーバ）から所定のファイル形式の電子情報（電子データ）をイメージデータ配信サーバ１１に送信することができる。なお、ホームページのメイン画面において、閉じるボタンをクリックすると、クライアント端末１２Ａ〜１２Ｃ，１４Ａ，１４Ｂがイメージデータ配信サーバ１１からログアウトとするとともに、インターネット１３の初期設定ホームページが端末１２Ａ〜１２Ｃ，１４Ａ，１４Ｂのディスプレイに表示される。電子情報の送信ボタンをクリックすると、クライアント端末１２Ａ〜１２Ｃ，１４Ａ，１４Ｂのディスプレイには、電子情報送信確認ボタン、電子情報非送信確認ボタンが表示される。
【００５９】
電子情報非送信確認ボタンをクリックすると、イメージデータ配信サーバ１１は、クライアント端末１２Ａ〜１２Ｃ，１４Ａ，１４Ｂから電子情報が送信されないと判断し（Ｓ−１１）、サーバ１１のホームページのメイン画面を端末１２Ａ〜１２Ｃ，１４Ａ，１４Ｂのディスプレイに表示する。電子情報送信確認ボタンをクリックすると、サーバ１１は、クライアント端末１２Ａ〜１２Ｃ，１４Ａ，１４Ｂから電子情報が送信されると判断し（Ｓ−１１）、端末１２Ａ〜１２Ｃ，１４Ａ，１４Ｂ（利用者や送信者）を認証する認証手続きを行う（Ｓ−１２）。認証手続きでは、クライアント端末１２Ａ〜１２Ｃ，１４Ａ，１４Ｂのディスプレイに送信時認証用画面（図示せず）が表示される。
【００６０】
認証手続きがパスワード認証の場合、送信時認証用画面には、ログインＩＤ（ユーザー名）入力エリアおよびパスワード入力エリアが表示される。利用者や送信者は、クライアント端末１２Ａ〜１２Ｃ，１４Ａ，１４Ｂのディスプレイに表示されたログインＩＤ（ユーザー名）入力エリアにログインＩＤ（ユーザー名）を入力し、パスワード入力エリアにパスワードを入力する。ログインＩＤやパスワードを入力した後、ログインボタンをクリックする。ログインボタンをクリックすると、イメージデータ配信サーバ１１は、入力されたログインＩＤやパスワードの真偽を判断し、ログインＩＤやパスワードが真正である場合、認証結果を可とする。逆に、ログインＩＤやパスワードが誤りである場合、認証結果を不可とする（Ｓ−１３）。
【００６１】
認証手続きが証明書認証の場合、送信時認証用画面には、ログインＩＤ（ユーザー名）入力エリアが表示される。利用者や送信者は、クライアント端末１２Ａ〜１２Ｃ，１４Ａ，１４Ｂのディスプレイに表示されたログインＩＤ（ユーザー名）入力エリアにログインＩＤを入力し、ログインボタンをクリックする。ログインボタンをクリックすると、最初にイメージデータ配信サーバ１１は、証明書を取得したときのログインＩＤ（ユーザー名）および証明書情報をクライアント端末１２Ａ〜１２Ｃ，１４Ａ，１４Ｂに送信する。クライアント端末１２Ａ〜１２Ｃ，１４Ａ，１４Ｂは、サーバ１１から送信された情報と端末１２Ａ〜１２Ｃ，１４Ａ，１４Ｂ自身が有する情報とが一致するかを判断し、それら情報が一致した場合にサーバ１１を認証する。次に、クライアント端末１２Ａ〜１２Ｃ，１４Ａ，１４Ｂは、入力されたログインＩＤ（ユーザー名）と証明書情報（ユーザー証明書やコンピューター証明書）とをサーバ１１に送信する。サーバ１１は、端末１２Ａ〜１２Ｃ，１４Ａ，１４Ｂから送信された情報とサーバ１１自身が有する情報とが一致するかを判断し、それら情報が一致した場合、認証結果を可とする。逆に、情報が不一致である場合、認証結果を不可とする（Ｓ−１３）。
【００６２】
ＵＳＢやＩＤカードによる認証の場合、送信時認証用画面には、ログインＩＤ（ユーザー名）入力エリアが表示される。利用者や送信者は、クライアント端末のディスプレイに表示されたログインＩＤ（ユーザー名）入力エリアにログインＩＤを入力し、ログインボタンをクリックする。ログインボタンをクリックすると、クライアント端末１２Ａ〜１２Ｃ，１４Ａ，１４Ｂは、入力されたログインＩＤと設定時のログインＩＤとを比較し、それらが一致した場合、ＵＳＢまたはＩＤカードの挿入メッセージをディスプレイに表示する。利用者や送信者は、認証用のＵＳＢをクライアント端末１２Ａ〜１２Ｃ，１４Ａ，１４ＢのＵＳＢ端子に挿入し、または、ＩＤカードを端末１２Ａ〜１２Ｃ，１４Ａ，１４ＢのＩＤカードリーダに挿入する。クライアント端末１２Ａ〜１２Ｃ，１４Ａ，１４Ｂは、ＵＳＢやＩＤカードから読み取ったパスワードやＩＤ番号をイメージデータ配信サーバ１１に送信する。サーバ１１は、それに格納されたパスワード、ＩＤ番号と端末１２Ａ〜１２Ｃ，１４Ａ，１４Ｂから送信されたパスワード、ＩＤ番号とを照合し、それらが一致した場合、認証結果を可とする。逆に、それらが不一致である場合、認証結果を不可とする（Ｓ−１３）。
【００６３】
バイオメトリクス認証を行う場合、送信時認証用画面には、ログインＩＤ（ユーザー名）入力エリアが表示される。利用者や送信者は、クライアント端末１２Ａ〜１２Ｃ，１４Ａ，１４Ｂのディスプレイに表示されたログインＩＤ（ユーザー名）入力エリアにログインＩＤを入力し、ログインボタンをクリックする。ログインボタンをクリックすると、クライアント端末１２Ａ〜１２Ｃ，１４Ａ，１４Ｂは、入力されたログインＩＤと設定時のログインＩＤとを比較し、それらが一致した場合、生体情報の入力メッセージをディスプレイに表示する。利用者や送信者は、クライアント端末１２Ａ〜１２Ｃ，１４Ａ，１４Ｂに接続された認証用デバイスを利用し、利用者や送信者が自己の生体情報（指紋情報、虹彩情報、静脈情報、網膜情報等）を読み取らせ、それら生体情報を端末１２Ａ〜１２Ｃ，１４Ａ，１４Ｂがイメージデータ配信サーバ１１に送信する。サーバ１１は、それに格納された生体情報と端末から送信された生体情報とを照合し、生体情報が一致した場合、認証結果を可とする。逆に、生体情報が不一致である場合、認証結果を不可とする（Ｓ−１３）。
【００６４】
なお、ユーザー登録をしていない送信者が電子情報を送信する場合、ユーザー登録をしていないためにクライアント端末１４Ａ，１４Ｂに対する認証手続ができない。この場合、イメージデータ配信サーバ１１は、クライアント端末１４Ａ，１４Ｂのディスプレイにユーザー設定登録画面（図示せず）を表示し、ユーザー登録をするかを問い合わせる（Ｓ−１４）。送信者がユーザー設定登録画面においてユーザー登録を行うことで、送信者（クライアント端末１４Ａ，１４Ｂ）がサーバ１１にユーザー登録される。ユーザー登録を行うと、送信者（クライアント端末１４Ａ，１４Ｂ）のログインＩＤとＩＭＳアプリケーションとがイメージデータ配信サーバ１１から端末１４Ａ，１４Ｂ（サーバ）に送信され、端末１４Ａ，１４Ｂ（サーバ）にＩＭＳアプリケーションがインストールされる。
【００６５】
ユーザー登録を行うことで、送信者（クライアント端末１４Ａ，１４Ｂ）は、パスワード認証ではログインＩＤやパスワードを取得することができ、証明書認証では証明書を取得することができるとともに、ＵＳＢ認証やＩＤカード認証ではログインＩＤ、パスワード、ＩＤ番号を取得することができる。ユーザー設定登録画面における送信者のユーザー登録の手順は、利用者がユーザー登録をする場合の既述の手順と同一であるから、その説明は省略する。送信者がユーザー登録を済ませた後、その送信者に対して認証手続きを行う。
【００６６】
クライアント端末１２Ａ〜１２Ｃ，１４Ａ，１４Ｂ（利用者や送信者）に対する認証結果が可である場合、イメージデータ配信サーバ１１は、クライアント端末１２Ａ〜１２Ｃ，１４Ａ，１４Ｂのディスプレイに送信用画面を表示させる表示指令を端末に送信する。クライアント端末１２Ａ〜１２Ｃ，１４Ａ，１４Ｂは、サーバ１１の指令に基づいて、メモリの内部アドレスファイルに格納されたＩＭＳアプリケーションを起動し、ディスプレイに送信用画面（図示せず）を表示する。送信用画面には、電子情報の選択領域、送信ボタン、戻るボタン、閉じるボタンが表示される。電子情報の選択領域には、クライアント端末１２Ａ〜１２Ｃ，１４Ａ，１４Ｂのメモリやハードディスクに格納された送信可能な各種複数の電子情報が表示される。それら電子情報は、各ファイル形式毎に区分された状態で表示される。戻るボタンをクリックすると、イメージデータ配信サーバ１１のホームページのメイン画面がディスプレイに表示され、閉じるボタンをクリックすると、サーバ１１からログアウトとするとともに、インターネット１３の初期設定ホームページがディスプレイに表示される。
【００６７】
利用者や送信者は、入力装置を使用して電子情報の選択領域に表示された電子情報から送信する情報を選択（送信する情報を反転）し、電子情報を指定した後（Ｓ−１５）、送信ボタンをクリックする。送信ボタンをクリックすると、イメージデータ配信サーバ１１は、送信最終確認画面（図示せず）をクライアント端末１２Ａ〜１２Ｃ，１４Ａ，１４Ｂのディスプレイに表示する。送信最終確認画面には、選択された電子情報およびそのファイル形式が表示された確認領域、送信確定ボタン、戻るボタン、キャンセルボタンが表示される。戻るボタンをクリックすると、選択した電子情報の選択が解除され、送信用画面がディスプレイに表示される。キャンセルボタンをクリックすると、サーバ１１のホームページのメイン画面がディスプレイに表示される。確認領域の電子情報やファイル形式を確認した後、送信確定ボタンをクリックすると、選択領域において選択された電子情報（ファイル形式や利用者特定情報、送信者特定情報を含む）がインターネット１１を介してクライアント端末１２Ａ〜１２Ｃ，１４Ａ，１４Ｂからイメージデータ配信サーバ１１に送信される（Ｓ−１６）。
【００６８】
イメージデータ配信サーバ１１は、電子情報を受信した後、電子情報のキーワードをピックアップし、ピックアップしたキーワードとハードディスクに格納されたキーワードとを比較し、一致したキーワードから電子情報のセキュリティーポリシーの高低や実質的な内容を特定する（Ｓ−１７）。サーバ１１は、電子情報の内容を特定した後、その内容に基づいて電子透かしの貼付の要否を判断し、電子透かしの貼付が必要な電子情報と電子透かしの貼付が不要な電子情報とに区分する（データ第１区分手段）（Ｓ−１８）。また、サーバ１１は、電子情報のファイル形式を特定し、ファイル形式に基づいて電子透かしの貼付の要否を判断し、電子透かしの貼付が必要な電子情報と電子透かしの貼付が不要な電子情報とに区分する（データ第２区分手段）（Ｓ−１８）。
【００６９】
電子透かしの要否を決定した後、イメージデータ配信サーバ１１は、それに接続されたディスプレイに要否確認画面（図示せず）を表示する。要否確認画面には、電子情報、それら電子情報の名称、電子情報のファイル形式、電子透かしの要否、要否決定ボタン、クリアボタン、キャンセルボタンが表示される。クリアボタンをクリックすると、サーバ１１において決定された電子透かしの要否がキャンセルされ、イメージデータ提供事業者が電子情報に対する電子透かしの要否をあらためて入力する。キャンセルボタンをクリックすると、サーバ１１のホームページのメイン画面がディスプレイに表示される。
【００７０】
要否決定ボタンをクリックすると、イメージデータ配信サーバ１１は、電子透かしの貼付を必要と判断した電子情報に貼付必要のタスクを添付するとともに、電子透かしの貼付を不要と判断した電子情報に貼付不要のタスクを添付する。サーバ１１は、電子情報に貼付必要や貼付不要のタスクを添付した後、電子情報毎に名称を付与するとともに、電子情報毎に番号を付与し、それら電子情報、電子情報の名称、電子情報の番号、電子透かしの要否、電子情報のファイル形式を利用者または送信者の特定情報に関連付けた状態でハードディスクに格納する（電子情報格納手段）。
【００７１】
イメージデータ配信サーバ１１は、電子情報を格納した後、クライアント端末１２Ａ〜１２Ｃ，１４Ａ，１４Ｂのディスプレイに受信完了メッセージを表示するとともに、送信用画面を表示し、利用者や送信者に電子情報の再送信があるかを問い合わせる（Ｓ−１９）。利用者や送信者が閉じるボタンをクリックすると、サーバ１１のホームページの初期画面がディスプレイに表示される。電子情報の再送信がある場合、利用者や送信者は、送信用画面において電子情報の選択領域に表示された電子情報から送信する情報を選択（送信する情報を反転）し、送信ボタンをクリックし、ステップ１５（Ｓ−１５）からの手順を繰り返す。
【００７２】
イメージデータ提供事業者は、イメージデータ配信サーバ１１を介して事後的にイメージデータに対する電子透かしの貼付の要否を変更することができる。サーバ１１に接続されたディスプレイに表示されたホームページのメイン画面には、図示はしていないが、ホームページの各種複数のコンテンツ、電子情報表示ボタン、イメージデータ表示ボタン、利用者ランク表示ボタン、閉じるボタン、その他のアイコン、他のホームページへジャンプする各種複数のリンクが表示される。
【００７３】
電子透かしの貼付の要否を変更する場合、イメージデータ提供事業者は、サーバ１１のホームページのメイン画面において電子情報表示ボタンをクリックする。電子情報表示ボタンをクリックすると、イメージデータ配信サーバ１１の中央処理部は、各種複数の電子情報を表示した電子情報受信画面をディスプレイに表示する。電子情報受信画面には、受信した電子情報、それら電子情報の名称、それら電子情報の番号、それら電子情報のファイル形式、電子情報を送信した利用者や送信者の特定情報、電子透かしの要否、イメージ化ボタン、要否変更ボタン、閉じるボタンが表示される。閉じるボタンをクリックすると、サーバ１１のホームページのメイン画面がディスプレイに表示される。
【００７４】
イメージデータ提供事業者は、電子情報受信画面の電子情報や電子情報の名称をクリックして特定の電子情報を指定し、その電子情報の内容をディスプレイに重ねて表示させ、その電子情報の内容を自ら確認した後、要否変更の有無を決定する。イメージデータ提供事業者は、電子情報の内容を確認した結果に基づいて、電子透かしの貼付の要否を変更することができる。
【００７５】
イメージデータ提供事業者は、要否変更の必要性がある場合、電子情報受信画面の要否変更ボタンをクリックする。要否変更ボタンをクリックすると、イメージデータ配信サーバ１１の中央処理部は、要否変更画面（図示せず）をディスプレイに表示する。要否変更画面には、要否変更確認領域、確定ボタン、キャンセルボタンが表示される。キャンセルボタンをクリックすると、サーバ１１のホームページのメイン画面が表示される。
【００７６】
要否変更確認領域には、各種複数の電子情報、それら電子情報の名称、それら電子情報のファイル形式が表示される。イメージデータ提供事業者は、要否変更の必要がある電子情報を要否変更確認領域において指定（要否変更する電子情報を反転）し、確定ボタンをクリックすると、要否変更確認画面がディスプレイに表示される。要否変更確認画面には、指定した電子情報に対する電子透かしの貼付の必要チェックボックスおよび不要チェックボックス、変更確定ボタン、クリアボタン、キャンセルボタンが表示される。
【００７７】
要否変更確認画面のクリアボタンをクリックすると、チェックボックスに入れたチェックマークがクリアされるとともに、要否変更確認画面がディスプレイに表示され、あらたにチェックマークを入れ直す。キャンセルボタンをクリックすると、サーバ１１のホームページのメイン画面がディスプレイに表示される。イメージデータ提供事業者は、それらチェックボックスのいずれかにチェックマークを入れた後、変更確定ボタンをクリックする。変更確定ボタンをクリックすると、電子情報に対する電子透かしの貼付の要否が変更される。
【００７８】
イメージデータ配信サーバ１１は、要否変更によって貼付が不要の電子情報が電子透かしの貼付が必要に変更された場合、その電子情報に貼付必要のタスクを添付するとともに、要否変更によって貼付が必要の電子情報が電子透かしの貼付が不要に変更された場合、その電子情報に貼付不要のタスクを添付する。サーバ１１は、電子透かしの貼付の要否が変更され、電子情報に貼付必要や貼付不要のタスクを添付した後、それら電子情報、電子情報の名称、電子情報の番号、電子情報のファイル形式を利用者または送信者の特定情報に関連付けた状態でハードディスクに格納する（電子情報格納手段）。
【００７９】
電子情報をイメージ化する場合、イメージデータ提供事業者は、サーバ１１のホームページのメイン画面において電子情報表示ボタンをクリックし、格納した各種複数の電子情報を表示した電子情報受信画面（図示せず）をディスプレイに表示させた後、イメージ化ボタンをクリックする。イメージ化ボタンをクリックすると、イメージデータ配信サーバ１１の中央処理部は、イメージ化画面をディスプレイに表示する。イメージ化画面には、イメージ化確認領域、戻るボタン、キャンセルボタンが表示される。戻るボタンをクリックすると、要否確認画面がディスプレイに表示され、キャンセルボタンをクリックすると、サーバ１１のホームページのメイン画面がディスプレイに表示される。イメージ化確認領域には、各種複数の電子情報、それら電子情報の名称、それら電子情報のファイル形式、指定確定ボタン、クリアボタンが表示される。クリアボタンをクリックすると、電子情報の指定が解除され、情報の指定をやり直す。
【００８０】
イメージ化画面において、イメージ化する電子情報をイメージ化確認領域において指定（イメージ化する電子情報を反転）し、指定確定ボタンをクリックする。指定確定ボタンをクリックすると、イメージデータ配信サーバ１１の中央処理部は、イメージ化確認画面（図示せず）をディスプレイに表示する。イメージ化確認画面には、指定した電子情報に対するイメージ化の必要チェックボックスおよび不要チェックボックス、イメージ化確定ボタン、クリアボタン、キャンセルボタンが表示される。
【００８１】
イメージ化確認画面のクリアボタンをクリックすると、チェックボックスに入れたチェックマークがクリアされるとともに、イメージ化確認画面がディスプレイに表示され、あらたにチェックマークを入れ直す。キャンセルボタンをクリックすると、サーバ１１のホームページのメイン画面がディスプレイに表示される。イメージデータ提供事業者は、それらチェックボックスのいずれかにチェックマークを入れた後、イメージ化確定ボタンをクリックする。イメージ化確定ボタンをクリックすると、イメージデータ配信サーバ１１の中央処理部は、指定されたそれら電子情報（各種のファイル形式の電子データ）をＩＭＳアプリケーションによって個別にイメージ化した各種複数のイメージデータを作成する（イメージデータ作成手段）（Ｓ−２０）。
【００８２】
イメージデータ配信サーバ１１は、イメージ化したそれらイメージデータ毎にイメージデータ名を付与するとともに、イメージデータ毎にファイル形式名を付与する。サーバ１１は、作成した各種複数のイメージデータに対応させたユニークＵＲＬを生成し（ＵＲＬ生成手段）、作成したそれらイメージデータをハードディスクまたはデータベースサーバ（ソフトウェア的に区分された場合を含む）に格納する（イメージデータ格納手段）（Ｓ−２１）。サーバ１１は、生成したそれらイメージデータ、それらイメージデータに対する電子透かしの貼付の要否（表示形態変更の有無）、それらイメージデータのファイル形式名、それらイメージデータの名称をユニークＵＲＬに関連付けた状態でハードディスクやデータベースサーバに格納する。
【００８３】
電子情報をイメージ化したイメージデータを確認する場合、イメージデータ提供事業者は、サーバ１１のホームページのメイン画面においてイメージデータ表示ボタンをクリックする。イメージデータ表示ボタンをクリックすると、イメージデータ配信サーバ１１の中央処理部は、イメージデータ表示画面をディスプレイに表示する。イメージデータ表示画面には、イメージデータ表示領域、詳細表示ボタン、削除ボタン、キャンセルボタンが表示される。キャンセルボタンをクリックすると、サーバ１１のホームページのメイン画面がディスプレイに表示される。イメージデータ表示領域には、各種複数のイメージデータ、それらイメージデータの名称、それらイメージデータのファイル形式、それらイメージデータに対する電子透かしの貼付の要否、それらイメージデータに対応するイメージ化前の電子情報、それら電子情報の名称、それら電子情報のファイル形式が表示される。
【００８４】
イメージデータ提供事業者は、イメージデータ表示画面のイメージデータ表示領域において、その詳細を表示させるイメージデータを指定（イメージデータを反転）し、詳細表示ボタンをクリックする。詳細表示ボタンをクリックすると、イメージデータ配信サーバ１１は、指定したイメージデータの詳細表示画面をディスプレイに表示する。詳細表示画面には、イメージデータの内容、そのイメージデータの名称、そのイメージデータのファイル形式、そのイメージデータに対する電子透かしの貼付の要否、イメージデータに対応するイメージ化前の電子情報の内容、その電子情報の名称、その電子情報のファイル形式、その電子情報を送信した利用者や送信者の特定情報が表示される。イメージデータ提供事業者は、詳細表示画面を見ることで、各イメージデータの詳細な情報を確認することができる。
【００８５】
イメージ化したイメージデータを削除する場合、イメージデータ提供事業者は、イメージデータ表示画面のイメージデータ表示領域において、削除するイメージデータを指定（イメージデータを反転）し、イメージデータ表示画面の削除ボタンをクリックする。削除ボタンをクリックすると、イメージデータ配信サーバ１１の中央処理部は、削除確認画面をディスプレイに表示する。削除確認画面には、指定されたイメージデータ、削除確定ボタン、クリアボタンが表示される。クリアボタンをクリックすると、イメージデータの指定が解除され、イメージデータ表示画面がディスプレイに表示される。削除確定ボタンをクリックすると、イメージデータ表示画面は、指定されたイメージデータをハードディスクまたはデータベースサーバから削除する。
【００８６】
図３は、イメージデータの配信手順の一例を示すフローチャートである。図４は、電子透かしの一例を示す図であり、図５は、電子透かしの他の一例を示す図である。図６は、電子透かしの他の一例を示す図である。図３のフローチャートに基づいて、イメージデータ配信サーバ１１におけるイメージデータの配信手順を説明すると、以下のとおりである。なお、各種複数のイメージデータがサーバ１１のハードディスまたはサーバ１１に接続されたデータベースサーバに格納されている。
【００８７】
イメージデータの配信を受ける場合、利用者は、クライアント端末１２Ａ〜１２Ｃのディスプレイに表示されたサーバ１１のホームページのメイン画面において、イメージデータの配信要求ボタンをクリックし、サーバ１１にイメージデータの配信を要求する（Ｓ−３０）。配信要求ボタンをクリックすると、イメージデータ配信サーバ１１は、クライアント端末１２Ａ〜１２Ｃ（利用者）を認証する認証手続きを行う（Ｓ−３１）。認証手続きでは、クライアント端末１２Ａ〜１２Ｃのディスプレイに配信時認証用画面（図示せず）が表示される。
【００８８】
認証手続きがパスワード認証の場合、送信時認証と同様に、ログインＩＤやパスワードが真正である場合、サーバ１１は認証結果を可とし、ログインＩＤやパスワードが誤りである場合、サーバ１１は認証結果を不可とする（Ｓ−３２）。認証手続きが証明書認証の場合、送信時認証と同様に、証明書情報が一致した場合、サーバ１１は認証結果を可とし、証明書情報が不一致である場合、サーバ１１は認証結果を不可とする（Ｓ−３２）。
【００８９】
ＵＳＢやＩＤカードによる認証の場合、送信時認証と同様に、ＵＳＢまたはＩＤカードから読み取ったパスワードやＩＤ番号がサーバ１１に格納されたそれらと一致した場合、認証結果を可とする。逆に、ＵＳＢまたはＩＤカードから読み取ったパスワードやＩＤ番号がサーバ１１に格納されたそれらと不一致である場合、認証結果を不可とする（Ｓ−３２）。バイオメトリクス認証を行う場合、送信時認証と同様に、生体情報が一致した場合、サーバ１１は認証結果を可とし、生体情報が不一致である場合、サーバ１１は認証結果を不可とする（Ｓ−３２）。クライアント端末１２Ａ〜１２Ｃ（利用者）に対する認証結果が不可である場合、イメージデータ配信サーバ１１は、イメージデータ配信不可メッセージを端末１２Ａ〜１２Ｃのディスプレイに表示する（Ｓ−３３）。
【００９０】
クライアント端末１２Ａ〜１２Ｃ（利用者）に対する認証結果が可である場合、イメージデータ配信サーバ１１は、端末１２Ａ〜１２Ｃに証拠（属性）の提供を要求し、端末１２Ａ〜１２Ｃがサーバ１１に証拠（属性）を提供する。イメージデータ配信サーバ１１は、クライアント端末１２Ａ〜１２Ｃから提供されたそれら証拠に基づいてその端末のセキュリティーポリシーを評価し、それによって利用者のアクセス権限のランク（アクセス許可レベル）を決定する（ランク別区分手段）（Ｓ−３４）。
【００９１】
利用者のアクセス権限のランク（アクセス許可レベル）には、たとえば、ランク（Ａ）（管理者相当ユーザーランク）、ランク（Ｂ）（特別ユーザーランク）、ランク（Ｃ）（一般ユーザーランク）がある。利用者のアクセス権限をランク別に区分した後、イメージデータ配信サーバ１１は、アクセス権限のランクを利用者の特定情報に関連付けた状態で、ハードディスクまたはデータベースサーバに格納する（ランク情報格納手段）（Ｓ−３５）。なお、認証手続きをする度毎に利用者のランクが決定される。したがって、以前の認証手続きにおいて決定されたランクと直近の認証手続きにおいて決定されたランクが異なる場合がある。
【００９２】
イメージデータ提供事業者は、イメージデータ配信サーバ１１を介して事後的に利用者のアクセス権限のランクを変更することができる（Ｓ−３６）。なお、サーバ１１に接続されたハードディスクまたはデータベースサーバには、利用者のランクとしてＡランク、Ｂランク、Ｃランクが格納されているものとする。アクセス権限のランクを変更する場合、イメージデータ提供事業者は、サーバ１１のホームページのメイン画面において利用者ランク表示ボタンをクリックする。利用者ランク表示ボタンをクリックすると、イメージデータ配信サーバ１１は、利用者ランク表示画面をディスプレイに表示する。利用者ランク表示画面には、複数の利用者の名称、それら利用者に設定された利用者番号、それら利用者に設定されたランク、ランク変更ボタン、閉じるボタンが表示される。閉じるボタンをクリックすると、サーバのホームページのメイン画面がディスプレイに表示される。
【００９３】
イメージデータ提供事業者は、利用者ランク表示画面の利用者の名称や利用者番号をクリックして特定の利用者（複数可）を指定し、指定した利用者の特定情報および認証時にクライアント端末１２Ａ〜１２Ｃから送信された証拠（属性）をディスプレイに重ねて表示させ、利用者の特定情報や証拠を自ら確認した後、サーバ１１が設定したランクの適否を決定する。イメージデータ提供事業者は、利用者の特定情報や証拠を確認した結果に基づいて、各利用者のアクセス権限のランクを変更することができる。
【００９４】
イメージデータ提供事業者は、ランクの変更が必要である場合、利用者ランク表示画面のランク変更ボタンをクリックする。ランク変更ボタンをクリックすると、イメージデータ配信サーバ１１は、ランク変更画面をディスプレイに表示する。ランク変更画面には、ランク変更確認領域、変更ボタン、キャンセルボタンが表示される。キャンセルボタンをクリックすると、サーバのホームページのメイン画面が表示される。
【００９５】
ランク変更確認領域には、各利用者の名称、それら利用者の利用者番号が表示される。イメージデータ提供事業者は、ランク変更の必要がある利用者をランク変更確認領域において指定（ランク変更する利用者または利用者番号を反転）し、変更ボタンをクリックすると、ランク変更確認画面がディスプレイに表示される。ランク変更確認画面には、指定した利用者の設定された変更前のランク（Ａランク，Ｂランク，Ｃランク）、指定した利用者のランク入力エリア、ランク変更確定ボタン、クリアボタン、キャンセルボタンが表示される。
【００９６】
ランク変更確認画面のクリアボタンをクリックすると、ランク入力エリアに入力されたランクがクリアされるとともに、ランク変更確認画面がディスプレイに表示され、ランク入力エリアにあらたにランクを入力する。キャンセルボタンをクリックすると、サーバのホームページのメイン画面がディスプレイに表示される。イメージデータ提供事業者は、ランク入力エリアに変更後のランクを入力した後、ランク変更確定ボタンをクリックする。ランク変更確定ボタンをクリックすると、利用者に対するアクセス権限のランクが変更される（Ｓ−３７）。
【００９７】
イメージデータ配信サーバ１１は、イメージデータ提供事業者によってランクが変更された場合、変更されたアクセス権限のランクを利用者の特定情報に関連付けた状態で、ハードディスクまたはデータベースサーバに格納する（ランク情報格納手段）（Ｓ−３５）。なお、認証手続きをする度毎に利用者のランクが決定される。したがって、ランク変更によって変更されたランクと直近の認証手続きにおいて決定されたランクが異なる場合がある。
【００９８】
イメージデータ配信サーバ１１は、利用者のアクセス権限のランクを決定し、または、ランクが変更された場合、決定または変更されたランクに対応した各種複数のユニークな所定の形態の電子透かしを作成する（電子透かし作成手段）（Ｓ−３８）。ランク（Ａ）（管理者相当ユーザーランク）に対応した電子透かし１５の一例は、図４に示すように、コンフィデンシャル（Confidential）の略標準文字、イメージデータを要求した利用者（クライアント端末１２Ａ〜１２Ｃ）の略標準文字のＵＲＬであり、その文字やＵＲＬの周りに所定の装飾が施されているとともに所定の模様が施されている。
【００９９】
ランク（Ｂ）（特別ユーザーランク）に対応した電子透かし１６の一例は、図５に示すように、スクリプト書体のコンフィデンシャル（Confidential）の文字、スクリプト書体のコピーライト（Copyright）の文字、イメージデータを要求した利用者(クライアント端末)の略標準文字のＵＲＬ、イメージデータを要求した利用者の容姿を撮影したデジタル写真（利用者の特定情報）であり、その文字やＵＲＬ、デジタル写真の周りに所定の装飾が施されているとともに所定の模様が施されている。図５の電子透かし１６は、その表示割合が図４のそれよりも大きく、電子透かし１６の装飾や模様が図４のそれよりも多く、コンフィデンシャルの他にコピーライトが加わることで電子透かし１６の称呼および観念が図４のそれよりも多くなっている。
【０１００】
ランク（Ｃ）（一般ユーザーランク）に対応した電子透かし１７の一例は、図６に示すように、花文字のコンフィデンシャル（Confidential）、花文字のコピーライト（Copyright）、花文字のノーコピー（NoCopy）、イメージデータを要求した利用者(クライアント端末)の略標準文字のＵＲＬ、イメージデータを要求した利用者の略標準文字のメールアドレス、イメージデータを要求した利用者の容姿を撮影したデジタル写真（利用者の特定情報）であり、その文字やＵＲＬ、メールアドレス、デジタル写真の周りに所定の装飾が施されているとともに所定の模様が施されている。図６の電子透かし１７は、その表示割合が図５のそれよりも大きく、電子透かし１７の装飾や模様が図５のそれよりも多く、コンフィデンシャルやコピーライトの他にノーコピーが加わることで電子透かし１７の称呼および観念が図５のそれよりも多くなっている。
【０１０１】
イメージデータ配信サーバ１１は、作成したランク（Ａ）〜ランク（Ｃ）に対応する電子透かし１５〜１７を利用者の特定情報に関連付けた状態で、ハードディスクまたはデータベースサーバに格納する（電子透かし格納手段）（Ｓ−３９）。なお、認証手続きをする度毎に利用者のランクが決定され、決定されたランクに対応した電子透かしがサーバ１１によって作成される。また、イメージデータ提供事業者によってランクが変更された場合、変更されたランクに対応した電子透かしがサーバ１１によって作成される。
【０１０２】
図７は、電子透かし１５を貼付したイメージデータ１８の一例を示す図であり、図８は、電子透かし１６を貼付したイメージデータ１９の他の一例を示す図である。図９は、電子透かし１７を貼付したイメージデータ２０の他の一例を示す図である。図７のイメージデータ１８には、図４の電子透かし１５が貼付され、図８のイメージデータ１９には、図５の電子透かし１６が貼付されているとともに、図９のイメージデータ２０には、図６の電子透かし１７が貼付されている。
【０１０３】
クライアント端末１２Ａ〜１２Ｃ（利用者）に対する認証結果が可であり、サーバ１１が利用者のアクセス権限に対するランクを決定した後、端末１２Ａ〜１２Ｃのディスプレイにはイメージデータ配信用画面（図示せず）が表示される。イメージデータ配信用画面には、イメージデータのジャンル入力エリア、イメージデータのキーワード入力エリア、ファイル形式入力エリア、イメージデータ検索ボタン、全イメージデータの表示ボタン、認証結果表示エリア、ランク表示エリア、クリアボタン、閉じるボタンが表示される。
【０１０４】
認証結果表示エリアには、認証結果（可）が表示され、ランク表示エリアには、利用者のアクセス権限のランク（Ａ，Ｂ，Ｃ）が表示される。クリアボタンをクリックすると、イメージデータのジャンル入力エリア、イメージデータのキーワード入力エリア、ファイル形式入力エリアに入力された各データがクリアされ、それら入力エリアにデータを再入力する。閉じるボタンをクリックすると、サーバ１１のホームページのメイン画面がクライアント端末１２Ａ〜１２Ｃのディスプレイに表示される。
【０１０５】
利用者が全イメージデータの表示ボタンをクリックすると、イメージデータ配信サーバ１１は、ハードディスクまたはデータベースサーバに格納された全てのイメージデータを表示した検索結果表示画面（図示せず）をクライアント端末１２Ａ〜１２Ｃのディスプレイに表示する。検索結果表示画面には、全イメージデータの表示領域の他に、配信実行ボタン、クリアボタン、キャンセルボタンが表示される。イメージデータの表示領域には、それらイメージデータの縮小サンプル、それらイメージデータの名称、それらイメージデータのＵＲＬ、それらイメージデータのファイル形式、それらイメージデータに対する電子透かしの要否が表示される。
【０１０６】
イメージデータの配信を受ける場合、利用者は、イメージデータの表示領域において配信を希望するイメージデータ（縮小サンプル、名称、ＵＲＬの少なくとも１つ）を指定（配信を希望するイメージデータを反転）し、配信実行ボタンをクリックする。なお、クリアボタンをクリックすると、イメージデータの指定が解除され、イメージデータの指定をやり直す。キャンセルボタンをクリックすると、サーバ１１のホームページのメイン画面がクライアント端末１２Ａ〜１２Ｃのディスプレイに表示される。
【０１０７】
配信実行ボタンがクリックされると、イメージデータ配信サーバ１１は、指定されたイメージデータを配信するものと判断するとともに（Ｓ−４０）、指定されたイメージデータをハードディスクまたはデータベースサーバから抽出し、指定されたイメージデータに添付された貼付必要のタスクや貼付不要タスクから、イメージデータに対する電子透かしの貼付の要否を決定する（Ｓ−４１）。イメージデータ配信サーバ１１は、イメージデータに対する電子透かしの貼付の要否を決定した後、認証後におけるその利用者のランクによって、貼付必要のイメージデータに貼付する電子透かしを選択し、イメージデータに選択した電子透かしを剥離不能に貼付する（Ｓ−４２）。
【０１０８】
たとえば、利用者のランクが（Ａ）であり、イメージデータに対する電子透かしの貼付が必要である場合、イメージデータ配信サーバ１１は、イメージデータの表示形態の変更の小と判断する。サーバ１１は、図７に示すように、コンフィデンシャルの略標準文字とイメージデータを要求した利用者（クライアント端末１２Ａ〜１２Ｃ）の略標準文字のＵＲＬとが表示されているとともに、その文字やＵＲＬの周りに所定の装飾と所定の模様とが施された電子透かし１５をイメージデータに剥離不能に貼付する（イメージデータの表示形態を変更する）（表示形態変更手段）（Ｓ−４２）。
【０１０９】
イメージデータ配信サーバ１１は、イメージデータに電子透かし１５を貼付した後、電子透かし１５を貼付した図７のイメージデータ１８、ファイル形式名、イメージデータ１８の名称をＵＲＬに関連付けた状態でハードディスクやデータベースサーバに格納する（電子透かしイメージデータ格納手段）。さらに、サーバ１１は、電子透かし１５を貼付した図７のイメージデータ１８をインターネット１３を介してクライアント端末１２Ａ〜１２Ｃ（サーバ）に配信（ダウンロード）する（イメージデータ配信手段）（Ｓ−４３）。なお、貼付不要のイメージデータに対しては、利用者のランクにかかわらず、電子透かしは貼付されない。サーバ１１は、電子透かしを貼付しない場合、そのイメージデータをインターネット１３を介してクライアント端末１２Ａ〜１２Ｃ（サーバ）に配信（ダウンロード）する（イメージデータ配信手段）。
【０１１０】
クライアント端末１２Ａ〜１２Ｃでは、イメージデータ１８に貼付された電子透かし１５を剥離することができない。サーバ１１から配信されたイメージデータ１８は、電子透かし１５が貼付された状態のままクライアント端末１２Ａ〜１２Ｃのディスプレイに表示（出力）され、電子透かし１５が貼付された状態のまま端末１２Ａ〜１２Ｃのプリンタによって印刷（出力）される。クライアント端末１２Ａ〜１２Ｃは、サーバ１１から配信されたイメージデータ１８をハードディスクに格納する。イメージデータ１８をハードディスクに格納した後、クライアント端末１２Ａ〜１２Ｃのディスプレイには、イメージデータ配信用画面が表示され、利用者が他のイメージデータの配信を要求する場合、イメージデータ配信用画面の全イメージデータの表示ボタンをクリックし、イメージデータの表示領域において配信を希望するイメージデータ（縮小サンプル、名称、ＵＲＬの少なくとも１つ）を指定（配信を希望するイメージデータを反転）し（Ｓ−４４）、ステップＳ−４１（Ｓ−４１）からの手順を繰り返す。他のイメージデータの配信を要求しない場合は、イメージデータ配信用画面の閉じるボタンをクリックする（Ｓ−４４）。
【０１１１】
利用者のランクが（Ｂ）であり、イメージデータに対する電子透かしの貼付が必要である場合、イメージデータ配信サーバ１１は、イメージデータの表示形態の変更の中と判断する。サーバ１１は、図８に示すように、スクリプト書体のコンフィデンシャルの文字とスクリプト書体のコピーライトの文字とイメージデータを要求した利用者(クライアント端末１２Ａ〜１２Ｃ)の略標準文字のＵＲＬとイメージデータを要求した利用者のデジタル写真とが表示されているとともに、それら文字やＵＲＬ、デジタル写真の周りに所定の装飾と所定の模様とが施された電子透かし１６をイメージデータに剥離不能に貼付する（イメージデータの表示形態を変更する）（表示形態変更手段）（Ｓ−４２）。図８のイメージデータ１９では、それに貼付された電子透かし１６の表示割合が図７のそれよりも大きく、電子透かし１６の装飾や模様が図７のそれよりも多く、コンフィデンシャルの他にコピーライトが加わることで電子透かし１６の称呼および観念が図７のそれよりも多くなっている。
【０１１２】
イメージデータ配信サーバ１１は、イメージデータに電子透かし１６を貼付した後、電子透かし１６を貼付した図８のイメージデータ１９、ファイル形式名、イメージデータ１９の名称をＵＲＬに関連付けた状態でハードディスクやデータベースサーバに格納する（電子透かしイメージデータ格納手段）。さらに、サーバ１１は、電子透かし１６を貼付した図８のイメージデータ１９をインターネット１３を介してクライアント端末１２Ａ〜１２Ｃ（サーバ）に配信（ダウンロード）する（イメージデータ配信手段）（Ｓ−４３）。クライアント端末１２Ａ〜１２Ｃでは、イメージデータ１９に貼付された電子透かし１６を剥離することができない。サーバ１１から配信されたイメージデータ１９は、電子透かし１６が貼付された状態のままクライアント端末１２Ａ〜１２Ｃのディスプレイに表示（出力）され、電子透かし１６が貼付された状態のまま端末１２Ａ〜１２Ｃのプリンタによって印刷（出力）される。
【０１１３】
利用者のランクが（Ｃ）であり、イメージデータに対する電子透かしの貼付が必要である場合、イメージデータ配信サーバ１１は、イメージデータの表示形態の変更の大と判断する。サーバ１１は、図９に示すように、花文字のコンフィデンシャルと花文字のコピーライトと花文字のノーコピーとイメージデータを要求した利用者(クライアント端末１２Ａ〜１２Ｃ)の略標準文字のＵＲＬとイメージデータを要求した利用者の略標準文字のメールアドレスとイメージデータを要求した利用者のデジタル写真とが表示されているとともに、それら文字やＵＲＬ、メールアドレス、デジタル写真の周りに所定の装飾と所定の模様とが施された電子透かし１７をイメージデータに剥離不能に貼付する（イメージデータの表示形態を変更する）（表示形態変更手段）（Ｓ−４２）。図９のイメージデータ２０では、それに貼付された電子透かし１７の表示割合が図８のそれよりも大きく、電子透かし１７の装飾や模様が図９のそれよりも多く、コンフィデンシャルやコピーライトの他にノーコピーが加わることで電子透かし１７の称呼および観念が図９のそれよりも多くなっている。
【０１１４】
イメージデータ配信サーバ１１は、イメージデータに電子透かし１７を貼付した後、電子透かし１７を貼付した図９のイメージデータ２０、ファイル形式名、イメージデータ２０の名称をＵＲＬに関連付けた状態でハードディスクやデータベースサーバに格納する（電子透かしイメージデータ格納手段）。さらに、サーバ１１は、電子透かし１７を貼付した図９のイメージデータ２０をインターネット１３を介してクライアント端末１２Ａ〜１２Ｃ（サーバ）に配信（ダウンロード）する（イメージデータ配信手段）（Ｓ−４３）。クライアント端末１２Ａ〜１２Ｃでは、イメージデータ２０に貼付された電子透かし１７を剥離することができない。サーバ１１から配信されたイメージデータ２０は、電子透かし１７が貼付された状態のままクライアント端末１２Ａ〜１２Ｃのディスプレイに表示（出力）され、電子透かし１７が貼付された状態のまま端末１２Ａ〜１２Ｃのプリンタによって印刷（出力）される。
【０１１５】
イメージデータを絞り込んで指定する場合、イメージデータのジャンル入力エリアやイメージデータのキーワード入力エリア、ファイル形式入力エリアのうちの少なくとも１つの入力エリアに必要なデータを入力し、イメージデータ検索ボタンをクリックすると、イメージデータ配信サーバ１１は、入力されたジャンルのイメージデータや入力されたキーワードを有するイメージデータ、入力されたファイル形式のイメージデータをハードディスクまたはデータベースサーバから抽出し、ジャンルやキーワード、ファイル形式に対応するイメージデータを表示した検索結果画面をクライアント端末１２Ａ〜１２Ｃのディスプレイに表示する。
【０１１６】
検索されたイメージデータの中から所定のそれの配信を受ける場合、利用者は、イメージデータの表示領域において配信を希望するイメージデータを指定し、配信実行ボタンをクリックする。配信実行ボタンがクリックされると、イメージデータ配信サーバ１１は、指定されたイメージデータを配信するものと判断するとともに（Ｓ−４０）、指定されたイメージデータをハードディスクまたはデータベースサーバから抽出し、指定されたイメージデータに添付された貼付必要のタスクや貼付不要タスクから、イメージデータに対する電子透かしの貼付の要否を決定する（Ｓ−４１）。サーバ１１は、認証後におけるその利用者のランクによって、貼付必要のイメージデータに貼付する電子透かしを選択し、イメージデータに選択した電子透かしを剥離不能に貼付する（Ｓ−４２）。サーバ１１は、電子透かしを貼付したイメージデータをインターネット１３を介してクライアント端末１２Ａ〜１２Ｃに配信する（イメージデータ配信手段）（Ｓ−４３）。
【０１１７】
イメージデータ配信サーバ１１では、アクセス権限のランクが（Ｃ）（低位）の利用者に配信するイメージデータ（表示形態の大きな変更が必要なイメージデータ）に貼付する電子透かし１７の表示割合（イメージデータ全体に対する電子透かしの表示割合）をアクセス権限のランクが（Ｂ）（中位）の利用者に配信するイメージデータ（表示形態の中程度の変更が必要なイメージデータ）に貼付する電子透かし１６のそれよりも大きくしている。したがって、アクセス権限のランクが（Ｃ）の利用者に配信するイメージデータ２０の表示形態がアクセス権限のランクが（Ｂ）の利用者に配信するイメージデータ１９のそれよりも大きく変更される。たとえば、ランク（Ｂ）の利用者のイメージデータ全体（１００％）に対する電子透かし１６の表示割合を１２〜２７％にした場合、ランク（Ｃ）の利用者のイメージデータ全体（１００％）に対する電子透かし１７の表示割合を２９〜４３％にする。
【０１１８】
イメージデータ配信サーバ１１では、アクセス権限のランクが（Ｂ）の利用者に配信するイメージデータに貼付する電子透かし１６の表示割合（イメージデータ全体に対する電子透かしの表示割合）をアクセス権限のランクが（Ａ）（上位）の利用者に配信するイメージデータ（表示形態の小さな変更が必要なイメージデータ）に貼付する電子透かし１５のそれよりも大きくしている。したがって、アクセス権限のランクが（Ｂ）の利用者に配信するイメージデータ１９の表示形態がアクセス権限のランクが（Ａ）の利用者に配信するイメージデータ１８のそれよりも大きく変更される。たとえば、ランク（Ａ）の利用者のイメージデータ全体（１００％）に対する電子透かし１５の表示割合を２〜１０％にした場合、ランク（Ｂ）の利用者のイメージデータ全体（１００％）に対する電子透かし１６の表示割合を１２〜２７％にする。
【０１１９】
イメージデータ配信サーバ１１は、ランク（Ｃ）の利用者に配信するイメージデータに対する電子透かし１７の表示割合をランク（Ｂ）の利用者に配信するイメージデータに対する電子透かし１６のそれよりも大きくするとともに、その電子透かし１７をクライアント端末１２Ａ〜１２Ｃにおいて剥離不能に貼付するから、端末１２Ａ〜１２Ｃにおいて電子透かし１７の剥離を行うことはできず、大きな表示割合の電子透かし１７が貼付されたイメージデータ２０を見たランク（Ｃ）の利用者に対し、そのイメージデータ２０の秘匿や保護の必要性を強く主張することができ、ランク（Ｃ）の利用者に対して配信したイメージデータ２０の漏洩や漏出、複写、複製を抑制することができる。
【０１２０】
イメージデータ配信サーバ１１は、ランク（Ｂ）の利用者に配信するイメージデータに対する電子透かし１６の表示割合をランク（Ａ）の利用者に配信するイメージデータに対する電子透かし１５のそれよりも大きくするとともに、その電子透かし１６をクライアント端末１２Ａ〜１２Ｃにおいて剥離不能に貼付するから、端末１２Ａ〜１２Ｃにおいて電子透かし１６の剥離を行うことはできず、中程度の表示割合の電子透かし１６が貼付されたイメージデータ１９を見たランクが（Ｂ）の利用者に対し、そのイメージデータ１９の秘匿や保護の必要性を主張することができ、ランク（Ｂ）の利用者に対してそのイメージデータ１９の漏洩や漏出、複写、複製を抑制することができる。さらに、アクセス権限のランクが（Ａ）の利用者に配信するイメージデータ１８に対しても所定の表示割合の電子透かし１５を剥離不能に貼付することで、そのイメージデータ１８の漏洩や漏出、複写、複製も抑制することができる。
【０１２１】
イメージデータ配信サーバ１１では、アクセス権限のランクが（Ｃ）の利用者に配信するイメージデータに貼付する電子透かし１７の装飾をアクセス権限のランクが（Ｂ）の利用者に配信するイメージデータに貼付する電子透かし１６のそれよりも多くしている。したがって、アクセス権限のランクが（Ｃ）の利用者に配信するイメージデータ２０の表示形態がアクセス権限のランクが（Ｂ）の利用者に配信するイメージデータ１９のそれよりも大きく変更される。たとえば、電子透かしの装飾無しの状態を０％とした場合、ランク（Ｂ）の利用者の電子透かし１６の装飾の割合を８〜１２％とし、ランク（Ｃ）の利用者の電子透かし１７の装飾の割合を１４〜１８％にする。
【０１２２】
イメージデータ配信サーバ１１では、アクセス権限のランクが（Ｂ）の利用者に配信するイメージデータに貼付する電子透かし１６の装飾をアクセス権限のランクが（Ａ）の利用者に配信するイメージデータに貼付する電子透かし１５のそれよりも多くしている。したがって、アクセス権限のランクが（Ｂ）の利用者に配信するイメージデータ１９の表示形態がアクセス権限のランクが（Ａ）の利用者に配信するイメージデータ１７のそれよりも大きく変更される。たとえば、電子透かしの装飾無しの状態を０％とした場合、ランク（Ａ）の利用者の電子透かし１５の装飾の割合を２〜６％とし、ランク（Ｂ）の利用者の電子透かし１６の装飾の割合を８〜１２％にする。
【０１２３】
イメージデータ配信サーバ１１は、ランク（Ｃ）の利用者に配信するイメージデータに貼付する電子透かし１７の装飾をランク（Ｂ）の利用者に配信するイメージデータに貼付する電子透かし１６のそれよりも多くするとともに、その電子透かし１７をクライアント端末１２Ａ〜１２Ｃにおいて剥離不能に貼付するから、端末１２Ａ〜１２Ｃにおいて電子透かし１７の剥離を行うことはできず、多くの装飾が施された電子透かし１７が貼付されたイメージデータ２０を見たランク（Ｃ）の利用者に対し、そのイメージデータ２０の秘匿や保護の必要性を強く主張することができ、ランク（Ｃ）の利用者に対して配信したイメージデータ２０の漏洩や漏出、複写、複製を抑制することができる。
【０１２４】
イメージデータ配信サーバ１１は、ランク（Ｂ）の利用者に配信するイメージデータに貼付する電子透かし１６の装飾をランク（Ａ）の利用者に配信するイメージデータに貼付する電子透かし１５のそれよりも多くするとともに、その電子透かし１６をクライアント端末１２Ａ〜１２Ｃにおいて剥離不能に貼付するから、端末１２Ａ〜１２Ｃにおいて電子透かし１６の剥離を行うことはできず、中程度の装飾が施された電子透かし１６が貼付されたイメージデータ１９を見たランクが（Ｂ）の利用者に対し、そのイメージデータ１９の秘匿や保護の必要性を主張することができ、ランク（Ｂ）の利用者に対してそのイメージデータ１９の漏洩や漏出、複写、複製を抑制することができる。さらに、アクセス権限のランクが（Ａ）の利用者に配信するイメージデータ１８に対しても所定の装飾が施された電子透かし１５を剥離不能に貼付することで、そのイメージデータ１８の漏洩や漏出、複写、複製も抑制することができる。
【０１２５】
イメージデータ配信サーバ１１では、アクセス権限のランクが（Ｃ）の利用者に配信するイメージデータに貼付する電子透かし１７の模様をアクセス権限のランクが（Ｂ）の利用者に配信するイメージデータに貼付する電子透かし１６のそれよりも多くしている。したがって、アクセス権限のランクが（Ｃ）の利用者に配信するイメージデータ２０の表示形態がアクセス権限のランクが（Ｂ）の利用者に配信するイメージデータ１９のそれよりも大きく変更される。たとえば、電子透かしの模様無しの状態を０％とした場合、ランク（Ｂ）の利用者の電子透かし１６の模様の割合を８〜１２％とし、ランク（Ｃ）の利用者の電子透かし１７の模様の割合を１４〜１８％にする。
【０１２６】
イメージデータ配信サーバ１１では、アクセス権限のランクが（Ｂ）の利用者に配信するイメージデータに貼付する電子透かし１６の模様をアクセス権限のランクが（Ａ）の利用者に配信するイメージデータに貼付する電子透かし１５のそれよりも多くしている。したがって、アクセス権限のランクが（Ｂ）の利用者に配信するイメージデータ１９の表示形態がアクセス権限のランクが（Ａ）の利用者に配信するイメージデータ１８のそれよりも大きく変更される。たとえば、電子透かしの模様無しの状態を０％とした場合、ランク（Ａ）の利用者の電子透かし１５の模様の割合を２〜６％とし、ランク（Ｂ）の利用者の電子透かし１６の模様の割合を８〜１２％にする。
【０１２７】
イメージデータ配信サーバ１１は、ランク（Ｃ）の利用者に配信するイメージデータに貼付する電子透かし１７の模様をランク（Ｂ）の利用者に配信するイメージデータに貼付する電子透かし１６のそれよりも多くするとともに、その電子透かし１７をクライアント端末１２Ａ〜１２Ｃにおいて剥離不能に貼付するから、端末１２Ａ〜１２Ｃにおいて電子透かし１７の剥離を行うことはできず、多くの模様が施された電子透かし１７が貼付されたイメージデータ２０を見たランク（Ｃ）の利用者に対し、そのイメージデータ２０の秘匿や保護の必要性を強く主張することができ、ランク（Ｃ）の利用者に対して配信したイメージデータ２０の漏洩や漏出、複写、複製を抑制することができる。
【０１２８】
イメージデータ配信サーバ１１は、ランク（Ｂ）の利用者に配信するイメージデータに貼付する電子透かし１６の模様をランク（Ａ）の利用者に配信するイメージデータに貼付する電子透かし１５のそれよりも多くするとともに、その電子透かし１６をクライアント端末１２Ａ〜１２Ｃにおいて剥離不能に貼付するから、端末１２Ａ〜１２Ｃにおいて電子透かしの剥離を行うことはできず、中程度の模様が施された電子透かし１６が貼付されたイメージデータ１９を見たランクが（Ｂ）の利用者に対し、そのイメージデータ１９の秘匿や保護の必要性を主張することができ、ランク（Ｂ）の利用者に対してそのイメージデータ１９の漏洩や漏出、複写、複製を抑制することができる。さらに、アクセス権限のランクが（Ａ）の利用者に配信するイメージデータ１８に対しても所定の模様が施された電子透かし１５を剥離不能に貼付することで、そのイメージデータ１８の漏洩や漏出、複写、複製も抑制することができる。
【０１２９】
イメージデータ配信サーバ１１では、アクセス権限のランクが（Ｃ）の利用者に配信するイメージデータに貼付する電子透かし１７の称呼の個数をアクセス権限のランクが（Ｂ）の利用者に配信するイメージデータに貼付する電子透かし１６のそれよりも多くしている。したがって、アクセス権限のランクが（Ｃ）の利用者に配信するイメージデータ２０の表示形態がアクセス権限のランクが（Ｂ）の利用者に配信するイメージデータ１９のそれよりも大きく変更される。たとえば、ランク（Ｂ）の利用者の電子透かし１６の称呼の個数を２個にした場合、ランク（Ｃ）の利用者の電子透かし１７の称呼の個数を３個にする。
【０１３０】
イメージデータ配信サーバ１１では、アクセス権限のランクが（Ｂ）の利用者に配信するイメージデータに貼付する電子透かし１６の称呼の個数をアクセス権限のランクが（Ａ）の利用者に配信するイメージデータに貼付する電子透かし１５のそれよりも多くしている。したがって、アクセス権限のランクが（Ｂ）の利用者に配信するイメージデータ１９の表示形態がアクセス権限のランクが（Ａ）の利用者に配信するイメージデータ１８のそれよりも大きく変更される。たとえば、ランク（Ａ）の利用者の電子透かし１５の称呼の個数を１個にした場合、ランク（Ｂ）の利用者の電子透かし１６の称呼の個数を２個にする。
【０１３１】
イメージデータ配信サーバ１１は、ランク（Ｃ）の利用者に配信するイメージデータに貼付する電子透かし１７の称呼の個数をランク（Ｂ）の利用者に配信するイメージデータに貼付する電子透かし１６のそれよりも多くするとともに、その電子透かしをクライアント端末１２Ａ〜１２Ｃにおいて剥離不能に貼付するから、端末１２Ａ〜１２Ｃにおいて電子透かしの剥離を行うことはできず、称呼の個数が多い電子透かし１７が貼付されたイメージデータ２０を見たランク（Ｃ）の利用者に対し、そのイメージデータ２０の秘匿や保護の必要性を強く主張することができ、ランク（Ｃ）の利用者に対して配信したイメージデータ２０の漏洩や漏出、複写、複製を抑制することができる。
【０１３２】
イメージデータ配信サーバは１１、ランク（Ｂ）の利用者に配信するイメージデータに貼付する電子透かし１６の称呼の個数をランク（Ａ）の利用者に配信するイメージデータに貼付する電子透かし１５のそれよりも多くするとともに、その電子透かし１６をクライアント端末１２Ａ〜１２Ｃにおいて剥離不能に貼付するから、端末１２Ａ〜１２Ｃにおいて電子透かし１６の剥離を行うことはできず、ランク（Ａ）の利用者の称呼の個数よりも多い個数の称呼の電子透かし１６が貼付されたイメージデータ１９を見たランクが（Ｂ）の利用者に対し、そのイメージデータ１９の秘匿や保護の必要性を主張することができ、ランク（Ｂ）の利用者に対してそのイメージデータの漏洩や漏出、複写、複製を抑制することができる。さらに、アクセス権限のランクが（Ａ）の利用者に配信するイメージデータ１８に対しても所定の個数の称呼の電子透かし１５を剥離不能に貼付することで、そのイメージデータ１８の漏洩や漏出、複写、複製も抑制することができる。
【０１３３】
イメージデータ配信サーバ１１では、アクセス権限のランクが（Ｃ）の利用者に配信するイメージデータに貼付する電子透かし１７の観念の個数をアクセス権限のランクが（Ｂ）の利用者に配信するイメージデータに貼付する電子透かし１６のそれよりも多くしている。したがって、アクセス権限のランクが（Ｃ）の利用者に配信するイメージデータ２０の表示形態がアクセス権限のランクが（Ｂ）の利用者に配信するイメージデータ１９のそれよりも大きく変更される。たとえば、ランク（Ｂ）の利用者の電子透かし１６の観念の個数を２個にした場合、ランク（Ｃ）の利用者の電子透かし１７の観念の個数を３個にする。
【０１３４】
イメージデータ配信サーバ１１では、アクセス権限のランクが（Ｂ）の利用者に配信するイメージデータに貼付する電子透かし１６の観念の個数をアクセス権限のランクが（Ａ）の利用者に配信するイメージデータに貼付する電子透かし１５のそれよりも多くしている。したがって、アクセス権限のランクが（Ｂ）の利用者に配信するイメージデータ１９の表示形態がアクセス権限のランクが（Ａ）の利用者に配信するイメージデータ１８のそれよりも大きく変更される。たとえば、ランク（Ａ）の利用者の電子透かし１５の観念の個数を１個にした場合、ランク（Ｂ）の利用者の電子透かし１６の観念の個数を２個にする。
【０１３５】
イメージデータ配信サーバ１１は、ランク（Ｃ）の利用者に配信するイメージデータに貼付する電子透かし１７の観念の個数をランク（Ｂ）の利用者に配信するイメージデータに貼付する電子透かし１６のそれよりも多くするとともに、その電子透かし１７をクライアント端末１２Ａ〜１２Ｃにおいて剥離不能に貼付するから、端末１２Ａ〜１２Ｃにおいて電子透かし１７の剥離を行うことはできず、観念の個数が多い電子透かし１７が貼付されたイメージデータ２０を見たランク（Ｃ）の利用者に対し、そのイメージデータ２０の秘匿や保護の必要性を強く主張することができ、ランク（Ｃ）の利用者に対して配信したイメージデータ２０の漏洩や漏出、複写、複製を抑制することができる。
【０１３６】
イメージデータ配信サーバ１１は、ランク（Ｂ）の利用者に配信するイメージデータに貼付する電子透かし１６の観念の個数をランク（Ａ）の利用者に配信するイメージデータに貼付する電子透かし１５のそれよりも多くするとともに、その電子透かし１６をクライアント端末１２Ａ〜１２Ｃにおいて剥離不能に貼付するから、端末１２Ａ〜１２Ｃにおいて電子透かし１６の剥離を行うことはできず、ランク（Ａ）の利用者の観念の個数よりも多い個数の観念の電子透かし１６が貼付されたイメージデータ１９を見たランクが（Ｂ）の利用者に対し、そのイメージデータ１９の秘匿や保護の必要性を主張することができ、ランク（Ｂ）の利用者に対してそのイメージデータ１９の漏洩や漏出、複写、複製を抑制することができる。さらに、アクセス権限のランクが（Ａ）の利用者に配信するイメージデータ１８に対しても所定の個数の観念の電子透かし１５を剥離不能に貼付することで、そのイメージデータ１８の漏洩や漏出、複写、複製も抑制することができる。
【０１３７】
イメージデータ配信サーバ１１は、イメージデータの配信を要求した各利用者の特定情報がイメージデータに貼付する電子透かし１５〜１７に含まれるから、そのイメージデータ１８〜２０が他所に漏洩、漏出したときやそのイメージデータ１８〜２０を複写、複製したときに、そのイメージデータ１８〜２０を要求した利用者やそのイメージデータ１８〜２０が配信されたクライアント端末１２Ａ〜１２Ｃ（利用者）が分かり、その漏洩先や漏出先、複写先、複製先が把握され、そのイメージデータ１８〜２０の漏洩、漏出、複写、複製に対する抑止力として機能することで、イメージデータ１８〜２０の漏洩や漏出、複写、複製を抑制することができる。
【０１３８】
イメージデータ配信サーバ１１は、電子情報の内容に基づいて、電子透かし１５〜１７の貼付が必要なイメージデータと電子透かし１５〜１７の貼付が不要なイメージデータとに区分し、電子透かし１５〜１７の貼付が必要なイメージデータのみに電子透かし１５〜１７を貼付するから、たとえば、内容に高い秘密保持性や学術的価値があるイメージデータに対してサーバ１１側においてコンフィデンシャルやコピーライト等の電子透かし１５〜１７を剥離不能に貼付し、その電子透かし１５〜１７を貼付したイメージデータをサーバ１１からクライアント端末１２Ａ〜１２Ｃに配信することで、秘密保持性や学術的価値がある電子情報をイメージ化したイメージデータ１８〜２０の他所への漏洩や漏出を抑制することができる。また、秘密性や学術的価値がある電子情報をイメージ化したイメージデータに対してサーバ１１側で複写不可や複製不可等の電子透かし１５〜１７を剥離不能に貼付し、その電子透かし１５〜１７を貼付したイメージデータ１８〜２０をサーバ１１からクライアント端末１２Ａ〜１２Ｃに配信することで、そのイメージデータ１８〜２０の複写や複製を抑制することができる。
【０１３９】
イメージデータ配信サーバ１１は、電子情報のファイル形式に基づいて、電子透かし１５〜１７の貼付が必要なイメージデータと電子透かし１５〜１７の貼付が不要なイメージデータとに区分し、電子透かし１５〜１７の貼付が必要なイメージデータのみの電子透かし１５〜１７を貼付するから、たとえば、秘匿や保護の必要なファイル形式の電子情報をイメージ化したイメージデータに対してサーバ１１側においてコンフィデンシャルやコピーライト等の電子透かし１５〜１７を剥離不能に貼付し、その電子透かし１５〜１７を貼付したイメージデータ１８〜２０をサーバ１１からクライアント端末１２Ａ〜１２Ｃに配信することで、そのイメージデータ１８〜２０の他所への漏洩や漏出を抑制することができる。また、複写不可や複製不可の必要なファイル形式の電子情報をイメージ化したイメージデータに対してサーバ１１側で複写不可や複製不可等の電子透かし１５〜１７を剥離不能に貼付し、その電子透かし１５〜１７を貼付したイメージデータ１８〜２０をサーバ１１からクライアント端末１２Ａ〜１２Ｃに配信することで、そのイメージデータ１８〜２０の複写や複製を抑制することができる。
【符号の説明】
【０１４０】
１０    イメージデータ配信システム
１１    イメージデータ配信サーバ
１２Ａ〜１２Ｃ  クライアント端末
１３    インターネット
１４Ａ，１４Ｂ  クライアント端末
１５    電子透かし
１６    電子透かし
１７    電子透かし
１８    イメージデータ
１９    イメージデータ
２０    イメージデータ
【図１】
2014103522.tif 000003
【図２】
2014103522.tif 000004
【図３】
2014103522.tif 000005
【図４】
2014103522.tif 000006
【図５】
2014103522.tif 000007
【図６】
2014103522.tif 000008
【図７】
2014103522.tif 000009
【図８】
2014103522.tif 000010
【図９】
2014103522.tif 000011